(57)【要約】端末（１０１）は、サーバ（１０２）に対して自端末の位置情報を通知するために、移動体ネットワーク（１００）の端末位置特定装置（１０３）に対して位置要求メッセージを送信する。端末位置特定装置（１０３）は、端末（１０１）を使用するユーザのプライバシ設定情報に基づいて、端末（１０１）からサーバ（１０２）への位置情報の通知が許可されているかどうかを判定し、許可されていると判定した場合に限り、端末（１０１）との間で測位処理を行い、端末（１０１）の位置情報を端末（１０１）に提供する。端末（１０１）は、提供された自端末の位置情報をサーバ（１０２）に通知する。
2005039223.tif 000002
【特許請求の範囲】
【請求項１】
１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおいて、
前記端末位置特定装置は各端末を使用するユーザのプライバシ設定と、プライバシチェック部を有し、前記プライバシチェック部は前記端末から前記選択されたサーバへの位置情報の通知が許可されるかどうかを前記プライバシ設定から判定する機能を有し、
前記端末位置特定装置は、前記端末からの前記位置要求メッセージを受け付けると、前記プライバシチェック部により、前記端末から前記選択されたサーバへの位置情報の通知が許可されるかどうかを判定し、許可される場合に、前記端末の前記位置に関する情報を前記端末に提供するものであることを特徴とする位置情報通知システム。
【請求項２】
請求項１に記載の位置情報通知システムにおいて、
前記端末位置特定装置は、前記プライバシチェック部において、前記端末のユーザに対して、前記選択されたサーバへの位置情報の通知を許可するかどうかを問い合わせ、前記ユーザが前記選択されたサーバへの位置情報の通知を許可する場合にのみ、前記端末の前記位置に関する情報を前記端末に提供するものであることを特徴とする位置情報通知システム。
【請求項３】
請求項２に記載の位置情報通知システムにおいて、
前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする位置情報通知システム。
【請求項４】
１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおいて、
前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、
前記端末位置特定装置は、前記端末からの位置要求メッセージを受け付けると前記端末から前記選択されたサーバへ位置情報の通知が許可されるかどうかを、前記端末を使用するユーザのプライバシ設定を保持するプライバシチェック装置に問い合わせるものであり、
前記プライバシチェック装置は、前記端末位置特定装置からの前記問い合わせを受け付けると、前記プライバシチェック部において、前記プライバシ設定によって前記端末から前記選択されたサーバへの位置情報の通知が許可されるかどうかを判定し、その判定の結果を前記端末位置特定装置に通知するものであり、
前記端末位置特定装置は、前記プライバシチェック装置から通知された前記判定結果により、前記端末から前記選択されたサーバへの位置情報の通知が許可される場合に、前記端末の前記位置に関する情報を前記端末に提供するものであることを特徴とする位置情報通知システム。
【請求項５】
請求項４に記載の位置情報通知システムにおいて、
前記端末のプライバシ設定を保持する前記プライバシチェック装置は、前記端末のユーザに対して、前記選択されたサーバへの位置情報の通知を許可するかどうかを問い合わせ、前記端末から通知される前記ユーザによる判定結果を、前記端末位置特定装置に通知するものであることを特徴とする位置情報通知システム。
【請求項６】
請求項５に記載の位置情報通知システムにおいて、
前記端末のプライバシ設定を保持する前記プライバシチェック装置が前記端末のユーザに対して前記問い合わせを行なう条件が、前記端末から前記選択されたサーバへの位置情報の通知が前記端末を使用するユーザのプライバシ設定により許可されない場合であることを特徴とする位置情報通知システム。
【請求項７】
１つ以上の端末と１つ以上の端末位置特定装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し前記位置情報を前記選択したサーバに通知する位置情報通知システムにおいて、
第１の前記移動通信ネットワークに属する第１の前記端末位置特定装置は、前記第１のネットワークに属する各端末を使用するユーザのプライバシ設定と、プライバシチェック部を有し、前記プライバシチェック部は，前記第１の移動通信ネットワークに属する前記端末から前記選択されたサーバへの位置情報の通知が許可されるかどうかを前記プライバシ設定から判定する機能を有し、
第２の前記移動通信ネットワークに属する第２の前記端末位置特定装置が、前記第１の移動通信ネットワークに属する前記端末からの前記位置要求メッセージを受け付けると、前記端末から前記選択されたサーバへ位置情報の通知が許可されるかどうかを前記第１の端末位置特定装置に問い合わせるものであり、
前記第１の端末位置特定装置は、前記プライバシチェック部において、前記プライバシ設定によって前記端末から前記選択されたサーバへの位置情報の通知が許可されるかどうかを判定し、その判定の結果を前記第２の端末位置特定装置に通知するものであり、
前記第２の端末位置特定装置は、前記第１の端末位置特定装置から通知された前記判定結果により、前記端末から前記選択されたサーバへの位置情報の通知が許可される場合に、前記端末の前記位置に関する情報を前記端末に提供するものであることを特徴とする位置情報通知システム。
【請求項８】
請求項７に記載の位置情報通知システムにおいて、
前記第１の端末位置特定装置は、前記プライバシチェック部において、前記端末のユーザに対して、前記選択されたサーバへの位置情報の通知を許可するかどうかを問い合わせ、前記端末から通知される前記ユーザによる判定結果を、前記第２の端末位置特定装置に通知するものであることを特徴とする位置情報通知システム。
【請求項９】
請求項８に記載の位置情報通知システムにおいて、
前記第１の端末位置特定装置の前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする位置情報通知システム。
【請求項１０】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおいて、
第１の前記移動通信ネットワークに属する第１の前記プライバシチェック装置は、前記第１の移動通信ネットワークに属する各端末を使用するユーザのプライバシ設定を保持し、プライバシチェック部を有し、前記プライバシチェック部は前記第１のネットワークに属する端末から前記選択されたサーバへの位置情報の通知が許可されるかどうかを前記プライバシ設定から判定する機能を有し、
第２の前記移動通信ネットワークに属する第２の前記端末位置特定装置が、前記第１の移動通信ネットワークに属する前記端末からの前記位置要求メッセージを受け付けると、前記端末から前記選択されたサーバへ位置情報の通知が許可されるかどうかを前記第２の移動通信ネットワークに属する第２の前記プライバシチェック装置に問い合わせるものであり、
前記第２のプライバシチェック装置は、前記端末から前記選択されたサーバへ位置情報の通知が許可されるかどうかを前記第１のプライバシチェック装置に問い合わせるものであり、
前記第１のプライバシチェック装置は、前記プライバシチェック部において、前記プライバシ設定によって前記端末から前記選択されたサーバへの位置情報の通知が許可されるかどうかを判定し、その判定の結果を前記第２のプライバシチェック装置に通知するものであり、
前記第２のプライバシチェック装置は、前記第１のプライバシチェック装置からの前記判定結果を前記第２の端末位置特定装置に通知するものであり、
前記第２の端末位置特定装置は、前記第２のプライバシチェック装置から通知された前記判定結果により、該端末から前記選択されたサーバへの位置情報の通知が許可される場合に、前記端末の前記位置に関する情報を前記端末に提供するものであることを特徴とする位置情報通知システ厶。
【請求項１１】
請求項１０に記載の位置情報通知システムにおいて、
前記第１のプライバシチェック装置は、前記プライバシチェック部において、前記端末のユーザに対して、前記サーバへの位置情報の通知を許可するかどうかを問い合わせ、前記端末から通知される前記ユーザによる判定結果を、前記第２のプライバシチェック装置に通知するものであることを特徴とする位置情報通知システム。
【請求項１２】
請求項１０に記載の位置情報通知システムにおいて、
第２の前記移動通信ネットワークに属する第２の前記端末位置特定装置が、前記第１の移動通信ネットワークに属する前記端末からの前記位置要求メッセージを受け付けると、前記端末から前記選択されたサーバへ位置情報の通知が許可されるかどうかを前記第１のプライバシチェック装置に問い合わせるものであり、
前記第１のプライバシチェック装置は、前記プライバシチェック部において、前記プライバシ設定によって前記端末から前記選択されたサーバへの位置情報の通知が許可されるかどうかを判定し、その判定の結果を前記第２の端末位置特定装置に通知するものであり、
前記第２の端末位置特定装置は、前記第１のプライバシチェック装置から通知された前記判定結果により、前記端末から前記選択されたサーバへの位置情報の通知が許可される場合に、前記端末の前記位置に関する情報を前記端末に提供するものであることを特徴とする位置情報通知システム。
【請求項１３】
請求項１２に記載の位置情報通知システムにおいて、
前記第１のプライバシチェック装置は、前記プライバシチェック部において、前記端末のユーザに対して、前記サーバへの位置情報の通知を許可するかどうかを問い合わせ、前記端末から通知される前記ユーザによる判定結果を、前記第２の端末位置特定装置に通知するものであることを特徴とする位置情報通知システム。
【請求項１４】
請求項１１または１３に記載の位置情報通知システムにおいて、
前記端末のプライバシ設定を保持する前記第１のプライバシチェック装置が前記端末のユーザに対して前記問い合わせを行なう条件が、前記端末から前記選択されたサーバへの位置情報の通知が前記端末を使用するユーザのプライバシ設定により許可されない場合であることを特徴とする位置情報通知システム。
【請求項１５】
請求項１から１４までのいずれか１項に記載の位置情報通知システムにおいて、
前記端末位置特定装置から前記端末に提供される前記位置に関する情報は、前記端末の位置情報であることを特徴とする位置情報通知システム。
【請求項１６】
請求項１から１４までのいずれか１項に記載の位置情報通知システムにおいて、
前記端末位置特定装置から前記端末に提供される前記位置に関する情報は、前記端末が自端末の位置情報を特定するために必要な補助情報であることを特徴とする位置情報通知システム。
【請求項１７】
（１）通信可能なサーバに対して自端末の位置情報を通知する端末が、端末位置特定装置に対して位置要求メッセージを送信し、
（２）前記端末位置特定装置が、前記端末を使用するユーザのプライバシ設定情報に基づいて、前記端末から前記サーバへの位置情報の通知が許可されているかどうかを判定し、
（３）前記端末から前記サーバへの位置情報の通知が許可されていると判定した場合に、前記端末位置特定装置と前記端末との間で測位処理を行い、
（４）前記測位処理で取得された前記端末の位置情報を前記端末位置特定装置が前記端末に提供し、
（５）前記端末が、前記提供された自端末の位置情報を前記サーバに通知する、
ことを特徴とする位置情報通知方法。
【請求項１８】
（１）通信可能なサーバに対して自端末の位置情報を通知する端末が、端末位置特定装置に対して位置要求メッセージを送信し、
（２）前記端末位置特定装置と前記端末との間で測位処理を行い、
（３）前記端末位置特定装置が、前記端末を使用するユーザのプライバシ設定情報に基づいて、前記端末から前記サーバへの位置情報の通知が許可されているかどうかを判定し、
（４）前記端末から前記サーバへの位置情報の通知が許可されていると判定した場合に、前記測位処理で取得された前記端末の位置情報を前記端末位置特定装置が前記端末に提供し、
（５）前記端末が、前記提供された自端末の位置情報を前記サーバに通知する、
ことを特徴とする位置情報通知方法。
【請求項１９】
（１）通信可能なサーバに対して自端末の位置情報を通知する端末が、端末位置特定装置に対して位置要求メッセージを送信し、
（２）前記端末位置特定装置が、前記端末を使用するユーザのプライバシ設定情報に基づいて、前記端末から前記サーバへの位置情報の通知が許可されているかどうかを判定すると同時に、前記端末位置特定装置と前記端末との間で測位処理を行い、
（３）前記端末から前記サーバへの位置情報の通知が許可されていると判定した場合に、前記測位処理で取得された前記端末の位置情報を前記端末位置特定装置が前記端末に提供し、
（４）前記端末が、前記提供された自端末の位置情報を前記サーバに通知する、
ことを特徴とする位置情報通知方法。
【請求項２０】
（１）通信可能なサーバに対して自端末の位置情報を通知する端末が、端末位置特定装置に対して位置要求メッセージを送信し、
（２）前記端末位置特定装置が、前記端末を使用するユーザのプライバシ設定情報に基づいて、前記端末から前記サーバへの位置情報の通知が許可されているかどうかを判定し、
（３）前記端末から前記サーバへの位置情報の通知が許可されていると判定した場合に、前記端末位置特定装置が、前記端末に対し、前記端末が自端末の位置情報を特定するために必要な補助情報を提供し、
（４）前記端末が、前記提供された補助情報を用いて自端末の位置情報を特定し、
（５）前記端末が、前記特定した自端末の位置情報を前記サーバに通知する、
ことを特徴とする位置情報通知方法。
【請求項２１】
（１）通信可能なサーバに対して自端末の位置情報を通知する端末が、端末位置特定装置に対して位置要求メッセージを送信し、
（２）前記端末位置特定装置が、前記端末のユーザに対して、前記サーバへの位置情報の通知を許可するかどうかを問い合わせ、
（３）前記端末が、自端末のユーザ判断結果を前記端末位置特定装置に通知し、
（４）前記端末位置特定装置が、通知されたユーザ判断結果を確認し、
（５）前記端末から前記サーバへの位置情報の通知が許可されていると判定した場合に、前記端末位置特定装置と前記端末との間で測位処理を行い、
（６）前記端末位置特定装置が、前記測位処理で取得された前記端末の位置情報を前記端末に提供し、
（７）前記端末が、前記提供された自端末の位置情報を前記サーバに通知する、
ことを特徴とする位置情報通知方法。
【請求項２２】
（１）通信可能なサーバに対して自端末の位置情報を通知する端末が、端末位置特定装置に対して位置要求メッセージを送信し、
（２）前記端末位置特定装置が、前記端末を使用するユーザのプライバシ設定情報に基づいて、前記端末から前記サーバへの位置情報の通知が許可されているかどうかを判定し、
（３）前記端末から前記サーバへの位置情報の通知が許可されていないと判定した場合に、前記端末位置特定装置が、前記端末のユーザに対して、前記サーバへの位置情報の通知を許可するかどうかを問い合わせ、
（４）前記端末が、自端末のユーザ判断結果を前記端末位置特定装置に通知し、
（５）前記端末位置特定装置が、通知されたユーザ判断結果を確認し、
（６）前記端末から前記サーバへの位置情報の通知が許可されていると判定した場合に、前記端末位置特定装置と前記端末との間で測位処理を行い、
（７）前記端末位置特定装置が、前記測位処理で取得された前記端末の位置情報を前記端末に提供し、
（８）前記端末が、前記提供された自端末の位置情報を前記サーバに通知する、
ことを特徴とする位置情報通知方法。
【請求項２３】
（１）通信可能なサーバに対して自端末の位置情報を通知する端末が、端末位置特定装置に対して位置要求メッセージを送信し、
（２）前記端末位置特定装置は、前記位置要求メッセージを受け付けると、プライバシチェック装置に対してプライバシチェックを要求し、
（３）前記プライバシチェック装置が、前記端末を使用するユーザのプライバシ設定情報に基づいて、前記端末から前記サーバへの位置情報の通知が許可されているかどうかを判定し、
（４）前記プライバシチェック装置が、プライバシチェック結果を前記端末位置特定装置に通知し、
（５）前記プライバシチェック結果により前記端末から前記サーバへの位置情報の通知が許可されている場合に、前記端末位置特定装置と前記端末との間で測位処理を行い、
（６）前記端末位置特定装置が、前記測位処理で取得された前記端末の位置情報を前記端末に提供し、
（７）前記端末が、前記提供された自端末の位置情報を前記サーバに通知する、
ことを特徴とする位置情報通知方法。
【請求項２４】
（１）通信可能なサーバに対して自端末の位置情報を通知する端末が、端末位置特定装置に対して位置要求メッセージを送信し、
（２）前記端末位置特定装置は、前記位置要求メッセージを受け付けると、プライバシチェック装置に対してプライバシチェックを要求し、
（３）前記プライバシチェック装置が、前記端末を使用するユーザのプライバシ設定情報に基づいて、前記端末から前記サーバへの位置情報の通知が許可されているかどうかを判定し、
（４）前記端末から前記サーバへの位置情報の通知が許可されていないと判定した場合に、前記プライバシチェック装置が、前記端末のユーザに対して、前記サーバへの位置情報の通知を許可するかどうかを問い合わせ、
（５）前記端末が、自端末のユーザ判断結果を前記プライバシチェック装置に通知し、
（６）前記プライバシチェック装置が、通知されたユーザ判断結果を確認し、
（７）前記プライバシチェック装置が、プライバシチェック結果を前記端末位置特定装置に通知し、
（８）前記プライバシチェック結果により前記端末から前記サーバへの位置情報の通知が許可されている場合に、前記端末位置特定装置と前記端末との間で測位処理を行い、
（９）前記端末位置特定装置が、前記測位処理で取得された前記端末の位置情報を前記端末に提供し、
（１０）前記端末が、前記提供された自端末の位置情報を前記サーバに通知する、
ことを特徴とする位置情報通知方法。
【請求項２５】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、前記端末の属する第２の移動通信ネットワークに接続された第２の端末位置特定装置に対して、プライバシチェックを要求し、
（３）前記第２の端末位置特定装置が、前記端末を使用するユーザのプライバシ設定情報に基づいて、前記端末から前記サーバへの位置情報の通知が許可されているかどうかを判定し、
（４）前記第２の端末位置特定装置が、プライバシチェック結果を前記第１の端末位置特定装置に通知し、
（５）前記プライバシチェック結果により前記端末から前記サーバへの位置情報の通知が許可されている場合に、前記第１の端末位置特定装置と前記端末との間で測位処理を行い、
（６）前記第１の端末位置特定装置が、前記測位処理で取得された前記端末の位置情報を前記端末に提供し、
（７）前記端末が、前記提供された自端末の位置情報を前記サーバに通知する、
ことを特徴とする位置情報通知方法。
【請求項２６】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、前記端末の属する第２の移動通信ネットワークに接続された第２の端末位置特定装置に対して、プライバシチェックを要求し、
（３）前記第２の端末位置特定装置が、前記端末のユーザに対して、前記サーバへの位置情報の通知を許可するかどうかを問い合わせ、
（４）前記端末が、自端末のユーザ判断結果を前記第２の端末位置特定装置に通知し、
（５）前記第２の端末位置特定装置が、通知されたユーザ判断結果を確認し、（６）前記第２の端末位置特定装置が、プライバシチェック結果を前記第１の端末位置特定装置に通知し、
（７）前記プライバシチェック結果により前記端末から前記サーバへの位置情報の通知が許可されている場合に、前記第１の端末位置特定装置と前記端末との間で測位処理を行い、
（８）前記第１の端末位置特定装置が、前記測位処理で取得された前記端末の位置情報を前記端末に提供し、
（９）前記端末が、前記提供された自端末の位置情報を前記サーバに通知する、
ことを特徴とする位置情報通知方法。
【請求項２７】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、前記端末の属する第２の移動通信ネットワークに接続された第２の端末位置特定装置に対して、プライバシチェックを要求し、
（３）前記第２の端末位置特定装置が、前記端末を使用するユーザのプライバシ設定情報に基づいて、前記端末から前記サーバへの位置情報の通知が許可されているかどうかを判定し、
（４）前記端末から前記サーバへの位置情報の通知が許可されていないと判定した場合に、前記第２の端末位置特定装置が、前記端末のユーザに対して、前記サーバへの位置情報の通知を許可するかどうかを問い合わせ、
（５）前記端末が、自端末のユーザ判断結果を前記第２の端末位置特定装置に通知し、
（６）前記第２の端末位置特定装置が、通知されたユーザ判断結果を確認し、
（７）前記第２の端末位置特定装置が、プライバシチェック結果を前記第１の端末位置特定装置に通知し、
（８）前記プライバシチェック結果により前記端末から前記サーバへの位置情報の通知が許可されている場合に、前記第１の端末位置特定装置と前記端末との間で測位処理を行い、
（９）前記第１の端末位置特定装置が、前記測位処理で取得された前記端末の位置情報を前記端末に提供し、
（１０）前記端末が、前記提供された自端末の位置情報を前記サーバに通知する、
ことを特徴とする位置情報通知方法。
【請求項２８】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、同じ第１の移動通信ネットワークに接続された第１のプライバシチェック装置に対して、プライバシチェックを要求し、
（３）前記第１のプライバシチェック装置が、前記端末の属する第２の移動通信ネットワークに接続された第２のプライバシチェック装置に対して、プライバシチェックを要求し、
（４）前記第２のプライバシチェック装置が、前記端末を使用するユーザのプライバシ設定情報に基づいて、前記端末から前記サーバへの位置情報の通知が許可されているかどうかを判定し、
（５）前記第２のプライバシチェック装置が、プライバシチェック結果を前記第１のプライバシチェック装置に通知し、
（６）前記第１のプライバシチェック装置が、通知された前記プライバシチェック結果を前記第１の端末位置特定装置に通知し、
（７）前記プライバシチェック結果により前記端末から前記サーバへの位置情報の通知が許可されている場合に、前記第１の端末位置特定装置と前記端末との間で測位処理を行い、
（８）前記第１の端末位置特定装置が、前記測位処理で取得された前記端末の位置情報を前記端末に提供し、
（９）前記端末が、前記提供された自端末の位置情報を前記サーバに通知する、
ことを特徴とする位置情報通知方法。
【請求項２９】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、同じ第１の移動通信ネットワークに接続された第１のプライバシチェック装置に対して、プライバシチェックを要求し、
（３）前記第１のプライバシチェック装置が、前記端末の属する第２の移動通信ネットワークに接続された第２のプライバシチェック装置に対して、プライバシチェックを要求し、
（４）前記第２のプライバシチェック装置が、前記端末のユーザに対して、前記サーバへの位置情報の通知を許可するかどうかを問い合わせ、
（５）前記端末が、自端末のユーザ判断結果を前記第２のプライバシチェック装置に通知し、
（６）前記第２のプライバシチェック装置が、通知されたユーザ判断結果を確認し、
（７）前記第２のプライバシチェック装置が、プライバシチェック結果を前記第１のプライバシチェック装置に通知し、
（８）前記第１のプライバシチェック装置が、通知された前記プライバシチェック結果を前記第１の端末位置特定装置に通知し、
（９）前記プライバシチェック結果により前記端末から前記サーバへの位置情報の通知が許可されている場合に、前記第１の端末位置特定装置と前記端末との間で測位処理を行い、
（１０）前記第１の端末位置特定装置が、前記測位処理で取得された前記端末の位置情報を前記端末に提供し、
（１１）前記端末が、前記提供された自端末の位置情報を前記サーバに通知する、
ことを特徴とする位置情報通知方法。
【請求項３０】
（１）通信可能なサーバに対して自端末の位置情報を通知する端末が、自端末が接続されている第１の移動通信ネットワークに接続された第１の端末位置特定装置に対して位置要求メッセージを送信し、
（２）前記第１の端末位置特定装置が、同じ第１の移動通信ネットワークに接続された第１のプライバシチェック装置に対して、プライバシチェックを要求し、
（３）前記第１のプライバシチェック装置が、前記端末の属する第２の移動通信ネットワークに接続された第２のプライバシチェック装置に対して、プライバシチェックを要求し、
（４）前記第２のプライバシチェック装置が、前記端末を使用するユーザのプライバシ設定情報に基づいて、前記端末から前記サーバへの位置情報の通知が許可されているかどうかを判定し、
（５）前記端末から前記サーバへの位置情報の通知が許可されていないと判定した場合に、前記第２のプライバシチェック装置が、前記端末のユーザに対して、前記サーバへの位置情報の通知を許可するかどうかを問い合わせ、
（６）前記端末が、自端末のユーザ判断結果を前記第２のプライバシチェック装置に通知し、
（７）前記第２のプライバシチェック装置が、通知されたユーザ判断結果を確認し、
（８）前記第２のプライバシチェック装置が、プライバシチェック結果を前記第１のプライバシチェック装置に通知し、
（９）前記第１のプライバシチェック装置が、通知された前記プライバシチェック結果を前記第１の端末位置特定装置に通知し、
（１０）前記プライバシチェック結果により前記端末から前記サーバへの位置情報の通知が許可されている場合に、前記第１の端末位置特定装置と前記端末との間で測位処理を行い、
（１１）前記第１の端末位置特定装置が、前記測位処理で取得された前記端末の位置情報を前記端末に提供し、
（１２）前記端末が、前記提供された自端末の位置情報を前記サーバに通知する、
ことを特徴とする位置情報通知方法。
【請求項３１】
１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して前記端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記端末位置特定装置において、
前記端末を使用するユーザのプライバシ設定を保持する保持部と、前記端末から前記選択されたサーバへの位置情報の通知が許可されるかどうかを前記プライバシ設定から判定するプライバシチェック部と、前記端末からの前記位置要求メッセージを受け付けると、前記プライバシチェック部により、前記端末から前記選択されたサーバへの位置情報の通知が許可されるかどうかを判定し、許可される場合に、前記端末の前記位置に関する情報を前記端末に提供する提供部とを備えることを特徴とする端末位置特定装置。
【請求項３２】
請求項３１に記載の端末位置特定装置において、
前記プライバシチェック部において、前記端末のユーザに対して、前記選択されたサーバへの位置情報の通知を許可するかどうかを問い合わせ、前記ユーザが前記選択されたサーバへの位置情報の通知を許可する場合にのみ、前記端末の前記位置に関する情報を前記端末に提供するものであることを特徴とする端末位置特定装置。
【請求項３３】
請求項３２に記載の端末位置特定装置において、
前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする端末位置特定装置。
【請求項３４】
１つ以上の端末と１つ以上の端末位置特定装置と１つ以上のプライバシチェック装置とが接続された移動通信ネットワークと、前記端末と通信可能な１つ以上のサーバとによって構成され、前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置において、
前記端末からの位置要求メッセージを受け付けると、前記端末から前記選択されたサーバへ位置情報の通知が許可されるかどうかを、前記端末を使用するユーザのプライバシ設定を保持するプライバシチェック装置に問い合わせるものであり、その判定の結果を前記端末位置特定装置に通知してきたときに、前記プライバシチェック装置から通知された前記判定結果により、前記端末から前記選択されたサーバへの位置情報の通知が許可される場合に、前記端末の前記位置に関する情報を前記端末に提供するものであることを特徴とする端末位置特定装置。
【請求項３５】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置において、
自端末位置特定装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、
自端末位置特定装置が接続された移動通信ネットワークに属する前記端末から、前記位置要求メッセージを受け付けたときに、前記プライバシチェック部において、前記プライバシ設定によって前記端末から前記選択されたサーバへの位置情報の通知が許可されるかどうかを判定し、許可されている場合に前記端末の前記位置に開する情報を前記端末に提供するものであり、
自端末位置特定装置が接続された移動通信ネットワークに属しない前記端末から、前記位置要求メッセージを受け付けたときに、前記端末から前記選択されたサーバへの位置情報の通知が許可されるかどうかを、前記端末が属する他の移動通信ネットワークに接続された他の端末位置特定装置に問い合わせ、その問い合わせ結果により、許可されている場合に前記端末の前記位置に関する情報を前記端末に提供するものであり、
自端末位置特定装置が接続された移動通信ネットワーク以外の他の移動通信ネットワークに接続された他の端末位置特定装置から、自端末位置特定装置が接続された移動通信ネットワークに属する前記端末から出された前記位置要求メッセージに関し、前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他の端末位置特定装置に通知するものであることを特徴とする端末位置特定装置。
【請求項３６】
請求項３５に記載の端末位置特定装置において、
前記プライバシチェック部において、前記端末のユーザに対して、前記サーバへの位置情報の通知を許可するかどうかを問い合わせ、前記端末から通知される前記ユーザによる判定結果を用いることを特徴とする端末位置特定装置。
【請求項３７】
請求項３６に記載の端末位置特定装置において、
前記プライバシチェック部が前記端末のユーザに対して前記問い合わせを行なう条件が、前記端末から前記サーバへの位置情報の通知が前記端末を使用するユーザのプライバシ設定により許可されない場合であることを特徴とする端末位置特定装置。
【請求項３８】
請求項３１から３７までのいずれか１項に記載の端末位置特定装置において、
前記端末に提供する前記位置に関する情報は、前記端末の位置情報であることを特徴とする端末位置特定装置。
【請求項３９】
請求項３１から３７までのいずれか１項に記載の端末位置特定装置において、
前記端末に提供する前記位置に関する情報は、前記端末が自端末の位置情報を特定するために必要な補助情報であることを特徴とする端末位置特定装置。
【請求項４０】
１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記プライバシチェック装置において、
各端末を使用するユーザのプライバシ設定を保持する保持部と、前記端末から前記サーバへの位置情報の通知が許可されるかどうかを前記プライバシ設定から判定するプライバシチェック部とを備え、
前記端末位置特定装置が、前記端末からの位置要求メッセージを受け付け、前記端末から前記選択されたサーバへ位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定の結果を前記端末位置特定装置に通知することを特徴とするプライバシチェック装置。
【請求項４１】
請求項４０に記載のプライバシチェック装置において、
前記端末のユーザに対して、前記選択されたサーバへの位置情報の通知を許可するかどうかを問い合わせ、前記端末から通知される前記ユーザによる判定結果を、前記端末位置特定装置に通知するものであることを特徴とするプライバシチェック装置。
【請求項４２】
請求項４１に記載のプライバシチェック装置において、
前記端末のユーザに対して前記問い合わせを行なう条件が、前記端末から前記選択されたサーバへの位置情報の通知が前記端末を使用するユーザのプライバシ設定により許可されない場合であることを特徴とするプライバシチェック装置。
【請求項４３】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置において、  自プライバシチェック装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、
自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、
自プライバシチェック装置が接続された移動通信ネットワーク以外の他の移動通信ネットワークに接続された他のプライバシチェック装置から、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他のプライバシチェック装置に通知するものであることを特徴とするプライバシチェック装置。
【請求項４４】
請求項４３に記載のプライバシチェック装置において、
前記プライバシチェック部において、前記端末のユーザに対して、前記サーバへの位置情報の通知を許可するかどうかを問い合わせ、前記端末から通知される前記ユーザによる判定結果を用いることを特徴とするプライバシチェック装置。
【請求項４５】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置において、
自プライバシチェック装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、
自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、
自プライバシチェック装置が接続された移動通信ネットワーク以外の他の移動通信ネットワークに接続された前記端末位置特定装置が、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記端末位置特定装置に通知するものであることを特徴とするプライバシチェック装置。
【請求項４６】
請求項４５に記載のプライバシチェック装置において、
前記プライバシチェック部において、前記端末のユーザに対して、前記サーバへの位置情報の通知を許可するかどうかを問い合わせ、前記端末から通知される前記ユーザによる判定結果を用いることを特徴とするプライバシチェック装置。
【請求項４７】
請求項４４または４６に記載のプライバシチェック装置において、
前記端末のユーザに対して前記問い合わせを行なう条件が、前記端末から前記サーバへの位置情報の通知が前記端末を使用するユーザのプライバシ設定により許可されない場合であることを特徴とするプライバシチェック装置。
【請求項４８】
請求項４０から４７までのいずれか１項に記載のプライバシチェック装置において、
前記端末位置特定装置から前記端末に提供される前記位置に関する情報は、前記端末の位置情報であることを特徴とするプライバシチェック装置。
【請求項４９】
請求項４０から４７までのいずれか１項に記載のプライバシチェック装置において、
前記端末位置特定装置から前記端末に提供される前記位置に関する情報は、前記端末が自端末の位置情報を特定するために必要な補助情報であることを特徴とするプライバシチェック装置。
【請求項５０】
１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して前記端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記端末位置特定装置を構成するコンピュータを、
前記端末を使用するユーザのプライバシ設定を保持する保持部、前記端末から前記選択されたサーバへの位置情報の通知が許可されるかどうかを前記プライバシ設定から判定するプライバシチェック部、前記端末からの前記位置要求メッセージを受け付けると、前記プライバシチェック部により、前記端末から前記選択されたサーバへの位置情報の通知が許可されるかどうかを判定し、許可される場合に、前記端末の前記位置に関する情報を前記端末に提供する提供部、として機能させることを特徴とするプログラム。
【請求項５１】
１つ以上の端末と１つ以上の端末位置特定装置と１つ以上のプライバシチェック装置とが接続された移動通信ネットワークと、前記端末と通信可能な１つ以上のサーバとによって構成され、前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置を構成するコンピュータを、
前記端末からの位置要求メッセージを受け付けると、前記端末から前記選択されたサーバへ位置情報の通知が許可されるかどうかを、前記端末を使用するユーザのプライバシ設定を保持するプライバシチェック装置に問い合わせる手段、前記プライバシチェック装置から通知された前記判定結果により、前記端末から前記選択されたサーバへの位置情報の通知が許可される場合に、前記端末の前記位置に関する情報を前記端末に提供する手段、として機能させることを特徴とするプログラム。
【請求項５２】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置を構成するコンピュータを、
自端末位置特定装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、
自端末位置特定装置が接続された移動通信ネットワークに属する前記端末から、前記位置要求メッセージを受け付けたときに、前記プライバシチェック部において、前記プライバシ設定によって前記端末から前記選択されたサーバへの位置情報の通知が許可されるかどうかを判定し、許可されている場合に前記端末の前記位置に関する情報を前記端末に提供するものであり、
自端末位置特定装置が接続された移動通信ネットワークに属しない前記端末から、前記位置要求メッセージを受け付けたときに、前記端末から前記選択されたサーバへの位置情報の通知が許可されるかどうかを、前記端末が属する他の移動通信ネットワークに接続された他の端末位置特定装置に問い合わせ、その問い合わせ結果により、許可されている場合に前記端末の前記位置に関する情報を前記端末に提供するものであり、
自端末位置特定装置が接続された移動通信ネットワーク以外の他の移動通信ネットワークに接続された他の端末位置特定装置から、自端末位置特定装置が接続された移動通信ネットワークに属する前記端末から出された前記位置要求メッセージに関し、前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他の端末位置特定装置に通知するものであることを特徴とするプログラム。
【請求項５３】
１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記プライバシチェック装置を構成するコンピュータを、
各端末を使用するユーザのプライバシ設定を保持する保持部、前記端末から前記サーバへの位置情報の通知が許可されるかどうかを前記プライバシ設定から判定するプライバシチェック部、として機能させるプログラムであり、
前記端末位置特定装置が、前記端末からの位置要求メッセージを受け付け、前記端末から前記選択されたサーバへ位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定の結果を前記端末位置特定装置に通知することを特徴とするプログラム。
【請求項５４】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置を構成するコンピュータを、
自プライバシチェック装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、
自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、
自プライバシチェック装置が接続された移動通信ネットワーク以外の他の移動通信ネットワークに接続された他のプライバシチェック装置から、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他のプライバシチェック装置に通知するものであることを特徴とするプログラム
【請求項５５】
１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置を構成するコンピュータを、
自プライバシチェック装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、
自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、
自プライバシチェック装置が接続された移動通信ネットワーク以外の他の移動通信ネットワークに接続された前記端末位置特定装置が、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記端末位置特定装置に通知するものであることを特徴とするプログラム。
【発明の詳細な説明】
【技術分野】  本発明は、移動体ネットワークにおける端末が、移動体ネットワークから自端末の位置に関する情報を取得して自端末の現在位置を特定し、通信可能なサーバに通知する位置情報通知システムに関し、特に端末が移動体ネットワークから位置に関する情報を取得する際におけるプライバシ保護機能に関する。
【背景技術】  移動体ネットワークにおいて、端末の位置情報を利用した位置情報サービスは、様々な付加価値サービスの提供を可能とする重要な機能である。例えば、端末が自らの位置情報を取得してサーバに通知し、サーバは端末から通知された位置情報の履歴からユーザの行動を分析し、ユーザの行動に最適な情報を提供することが可能である。
端末が自らの位置情報を取得するための方法として、移動体ネットワークの世界標準を定める３ＧＰＰ（３ｒｄ  Ｇｅｎｅｒａｔｉｏｎ  Ｐａｒｔｎｅｒｓｈｉｐ  Ｐｒｏｊｅｃｔ）では、「ファンクショナル  ステージ  ２  ディスクリプション  オブ  エルシーエス  バージョン６．３．０（Ｆｕｎｃｔｉｏｎａｌ  ｓｔａｇｅ  ２  Ｄｅｓｃｒｉｐｔｉｏｎ  ｏｆ  ＬＣＳ  ｖｅｒｓｉｏｎ６．３．０）」、２００３年３月（以下文献１とする）を制定している。文献１における移動体ネットワークで端末が自らの位置の取得する方式について、図を用いて以下に説明する。
図３３は３ＧＰＰにおける移動体ネットワークの、端末の位置情報の特定に必要となる構成のみを示したものである。図３３を参照すると、３ＧＰＰにおける移動体ネットワークは、移動体ネットワークから端末の位置を提供されるクライアント装置３３０１他、複数のクライアント装置と、移動体ネットワークにおいてクライアント装置からの測位要求を受け付けるゲートウェイ装置であるＧＭＬＣ（Ｇａｔｅｗａｙ  Ｍｏｂｉｌｅ  Ｌｏｃａｔｉｏｎ  Ｃｅｎｔｅｒ）装置３３０２他、複数のＧＭＬＣ装置と、一つもしくは複数の地域無線網を管理する地域無線網管理装置であるＳＧＳＮ／ＭＳＣ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ／Ｍｏｂｉｌｅ  Ｓｅｒｖｉｃｅｓ  ｓｗｉｔｃｈｉｎｇ  Ｃｅｎｔｅｒ）装置３３０３他、複数のＳＧＳＮ／ＭＳＣ装置と、地域無線網（ＲＡＮ：Ｒａｄｉｏ  Ａｃｃｅｓｓ  Ｎｅｔｗｏｒｋ）３３０４他、複数の地域無線網（ＲＡＮ）と、測位対象となる端末であるＵＥ（Ｕｓｅｒ  Ｅｑｕｉｐｍｅｎｔ）装置３３０５他、複数のＵＥ装置と、各端末の接続する地域無線網の情報を保持する移動機データベースであるＨＬＲ／ＨＳＳ（Ｈｏｍｅ  Ｌｏｃａｔｉｏｎ  Ｒｅｓｉｓｔｅｒ／Ｈｏｍｅ  Ｓｕｂｓｃｒｉｂｅｒ  Ｓｅｒｖｅｒ）装置３３０６他、複数のＨＬＲ／ＨＳＳ装置等の複数のノードから構成される。
図３４は３ＧＰＰにおける移動体ネットワークにおいて、ＵＥ装置３３０５が自らの位置情報を取得してクライアント装置３３０１に通知するシーケンスを示したものである。
図３３と図３４を用いて、３ＧＰＰにおける移動体ネットワークでＵＥ装置３３０５が自らの位置情報を取得してクライアント装置３３０１に通知する方法について説明する。ＵＥ装置３３０５は、ＲＡＮ３３０４に対して位置情報を要求する（ステップ３４０１）と、ＳＧＳＮ／ＭＳＣ装置３３０３は、ＲＡＮ３３０４に対してＵＥ装置３３０５の測位要求を送信し（ステップ３４０２）、ＲＡＮ３３０４とＵＥ装置３３０５との間で測位が行なわれる（ステップ３４０３）。測位が終了すると、その結果はＳＧＳＮ／ＭＳＣ装置３３０３を経て（ステップ３４０４）、ＵＥ装置に提供される（ステップ３４０５）。最後に、ＵＥ装置３３０５は取得した位置情報をクライアント装置３３０１に通知する（ステップ３４０６）。
ＵＥ装置３３０５がＲＡＮ３３０４との間での測位によって位置情報を取得する方法については、様々なものがある。「ステージ  ２  ファンクショナル  スペシフィケイション  オヴ  ユーザ  エクイップメント  ポジショニング  イン  ユートラン  バージョン５．６．０（Ｓｔａｇｅ  ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ（ＵＥ）ｐｏｓｉｔｉｏｎｉｎｇ  ｉｎ  ＵＴＲＡＮ  Ｖ５．６．０）」、３ＧＰＰ、２００３年６月（以下、文献２とする）には、セルＩＤ方式やネットワーク補助型ＧＰＳ（Ｇｌｏｂａｌ  Ｐｏｓｉｔｉｏｎｉｎｇ  Ｓｙｓｔｅｍ）方式により、ＵＥ装置３３０５がＲＡＮ３３０４との間で位置情報を取得する方法が開示されている。
セルＩＤ方式は、端末が無線によって接続するネットワーク装置が特定できれば、その端末は無線接続されたネットワーク装置からある距離範囲（セル）にあることがわかることから、このセルを端末の位置として代表させるものである。図３５は、セルＩＤ方式によりＵＥ装置３３０５が移動体ネットワークから位置情報を取得する際のシーケンスを説明するものである。図３５において、地域無線網ＲＡＮ３３０４には、ＵＥ装置３３０５と無線によって接続する無線接続装置（Ｎｏｄｅ  Ｂ）３５０１と、ＵＥ装置３３０５と無線接続装置３５０１との無線接続を制御する無線制御装置（ＳＲＮＣ、Ｓｅｒｖｉｎｇ  Ｒａｄｉｏ  Ｎｅｔｗｏｒｋ  Ｃｏｎｔｒｏｌｌｅｒ）３５０２が含まれる。セルＩＤ方式では、ＳＧＳＮ／ＭＳＣ装置３３０３からの測位要求をＳＲＮＣ装置３５０２が受け付けると（ステップ３５１１）、ＳＲＮＣ装置３５０２からＵＥ装置が接続するセルに関する情報を測位結果３５１４としてＳＧＮＳ／ＭＳＣ装置３３０３に通知する。測位の精度を高めたい場合には、ステップ３５１２においてＳＲＮＣ装置３５０２はＮｏｄｅ  Ｂ装置３５０１に伝播遅延を要求し、ＮｏｄｅＢ装置３５０１はＵＥ装置３３０５との間で電波の伝播時間を計測してその結果をステップ３５１３でＳＲＮＣ装置に通知する。
ネットワーク補助型ＧＰＳ方式は、ＧＰＳ（Ｇｌｏｂａｌ  Ｐｏｓｉｔｉｏｎｉｎｇ  Ｓｙｓｔｅｍ）機能を有するＵＥ装置３３０５が、移動体ネットワークからの補助情報を取得することで、ＧＰＳ機能を高速・高精度にするものである。図３６は、ネットワーク補助型ＧＰＳ方式により、ＵＥ装置３３０５が移動体ネットワークから位置情報を取得する際のシーケンスを説明するものである。ＵＥ装置のＧＰＳ機能で位置を計算するための補助情報は、ＲＡＮ３３０４に含まれる位置管理装置（ＳＡＳ：Ｓｔａｎｄ  Ａｌｏｎｅ  Ｓｅｒｖｉｎｇ  Ｍｏｂｉｌｅ  Ｌｏｃａｔｉｏｎ  Ｃｏｎｔｒｏｌｌｅｒ）３６０２により特定される。ステップ３６１１でＳＲＮＣ装置３６０１がＳＧＳＮ／ＭＳＣ装置３３０３から測位要求を受け付けると、ＳＲＮＣ装置３６０１はＳＡＳ装置３６０２に対して補助情報を要求し（ステップ３６１２）、ＳＡＳ装置３６０２はＵＥ装置３３０５のＧＰＳ機能が位置を計算するための補助情報を特定してＳＲＮＣ装置に通知する（ステップ３６１３）。ステップ３６１４においてＳＲＮＣ装置３６０１はＵＥ装置３３０５に対して補助情報を提供し、ＵＥ装置は補助情報を使って位置を計算し（ステップ３６１５）、計算された位置情報をステップ３６１６においてＳＧＳＮ／ＭＳＣ装置３３０３に通知する。
端末の位置情報は、端末のユーザにとって重要なプライバシ情報であることから、端末の位置を特定する機能を提供する移動体ネットワークには、ユーザの位置情報に対するプライバシ保護の機能が同時に要求される。ユーザの位置情報に対するプライバシ保護については、例えば特開２０００−２２１１５１号公報（以下、文献３とする）において、無線通信システムで敏感な情報を交換する方法が開示されている。
文献３によって開示されるプライバシ保護方式について、以下に説明する。図３７は、文献３で開示された、プライバシ保護を実現する無線通信システムの構成を簡単に示したものであり、無線ネットワーク３７０５に接続された無線クライアント３７０２と、地上ネットワーク３７０４に接続された遠隔サーバ３７０１と、無線ネットワーク３７０５と地上ネットワーク３７０４の双方に接続されたプロキシサーバ３７０３とから構成される。文献３によって開示される、無線クライアントから遠隔サーバへの位置情報の交換方法は、無線クライアント装置は、要求を出す毎に、位置情報をプロキシサーバ装置へ送る。プロシキサーバ装置は、無線クライアント装置に関する位置情報を、無線クライアントが接続された無線ネットワークから受信する。プロキシサーバ装置は、両情報の組の受信に際し、情報の２つのグループに対し基準化及び、調停処理を行なう。基準化され且つ調停された位置情報は、プライバシーの同意が確立された後に、遠隔サーバ装置へ、プロキシサーバ装置によってのみ開放される。例えば、特定の無線クライアント装置と遠隔サーバ装置の間でプライバシの同意がなされるまでは、遠隔サーバ装置に開放されない。
文献１で制定された、ＵＥ装置が自らの位置情報を取得する方法では、その取得の仮定においてプライバシ保護の機能が含まれていない。この場合、ＵＥ装置が取得した位置情報を不用意に、あるいは知らないうちに移動体ネットワークの外部に開示してしまう可能性がある。
また、文献３で開示されるプライバシ保護の方法は、無線クライアント装置が所有する位置情報を遠隔サーバに開示する場合に、位置情報をプロキシサーバ装置へ送信し、プロキシサーバ装置でプライバシ調停を行ない、プライバシの同意がなされた場合に位置情報がプロキシサーバ装置から遠隔サーバに開放される。この方法では、無線クライアント装置がプロキシサーバ装置を介して遠隔サーバと情報を交換する場合には位置情報のプライバシ保護がなされるが、無線クライアント装置が遠隔サーバと直接に情報を交換する場合には、位置情報のプライバシを保護することはできない。例えば、無線クライアント装置が携帯電話端末であり、携帯電話端末は携帯電話ネットワークとしか接続されず、携帯電話端末と遠隔サーバとの情報交換が必ずネットワーク内に設置したプロキシサーバを経由するようにすれば、文献３で開示されるプライバシ保護の方法によって携帯電話端末の位置情報に対してプライバシ保護をすることは可能である。しかし、携帯電話が携帯電話ネットワーク以外にも無線ＬＡＮとも接続され、携帯電話ネットワークから取得した位置情報を、無線ＬＡＮを経由して直接に接続された遠隔サーバに開放するような場合には、文献３で開示されるプライバシ保護の方式は適用されない。
【発明の開示】
本発明の目的は、移動体ネットワークにおいて端末が自らの位置を取得してサーバに通知する際のプライバシ保護を実現することであり、端末が移動体ネットワークから位置情報を取得するに際してプライバシ保護の機能を適用することである。
本発明の第１の位置情報通知システムは、１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおいて、前記端末位置特定装置は各端末を使用するユーザのプライバシ設定と、プライバシチェック部を有し、前記プライバシチェック部は前記端末から前記選択されたサーバへの位置情報の通知が許可されるかどうかを前記プライバシ設定から判定する機能を有し、前記端末位置特定装置は、前記端末からの前記位置要求メッセージを受け付けると、前記プライバシチェック部により、前記端末から前記選択されたサーバへの位置情報の通知が許可されるかどうかを判定し、許可される場合に、前記端末の前記位置に関する情報を前記端末に提供するものであることを特徴とする。
本発明の第２の位置情報通知システムは、第１の位置情報通知システムにおいて、前記端末位置特定装置は、前記プライバシチェック部において、前記端末のユーザに対して、前記選択されたサーバへの位置情報の通知を許可するかどうかを問い合わせ、前記ユーザが前記選択されたサーバへの位置情報の通知を許可する場合にのみ、前記端末の前記位置に関する情報を前記端末に提供するものであることを特徴とする。
本発明の第３の位置情報通知システムは、第２の位置情報通知システムにおいて、前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第４の位置情報通知システムは、１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおいて、前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、前記端末位置特定装置は、前記端末からの位置要求メッセージを受け付けると、前記端末から前記選択されたサーバへ位置情報の通知が許可されるかどうかを、前記端末を使用するユーザのプライバシ設定を保持するプライバシチェック装置に問い合わせるものであり、前記プライバシチェック装置は、前記端末位置特定装置からの前記問い合わせを受け付けると、前記プライバシチェック部において、前記プライバシ設定によって前記端末から前記選択されたサーバへの位置情報の通知が許可されるかどうかを判定し、その判定の結果を前記端末位置特定装置に通知するものであり、前記端末位置特定装置は、前記プライバシチェック装置から通知された前記判定結果により、前記端末から前記選択されたサーバへの位置情報の通知が許可される場合に、前記端末の前記位置に関する情報を前記端末に提供するものであることを特徴とする。
本発明の第５の位置情報通知システムは、第４の位置情報通知システムにおいて、前記端末のプライバシ設定を保持する前記プライバシチェック装置は、前記端末のユーザに対して、前記選択されたサーバへの位置情報の通知を許可するかどうかを問い合わせ、前記端末から通知される前記ユーザによる判定結果を、前記端末位置特定装置に通知するものであることを特徴とする。
本発明の第６の位置情報通知システムは、第５の位置情報通知システムにおいて、前記端末のプライバシ設定を保持する前記プライバシチェック装置が前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第７の位置情報通知システムは、１つ以上の端末と１つ以上の端末位置特定装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおいて、第１の前記移動通信ネットワークに属する第１の前記端末位置特定装置は、前記第１のネットワークに属する各端末を使用するユーザのプライバシ設定と、プライバシチェック部を有し、前記プライバシチェック部は，前記第１の移動通信ネットワークに属する前記端末から前記選択されたサーバへの位置情報の通知が許可されるかどうかを前記プライバシ設定から判定する機能を有し、
第２の前記移動通信ネットワークに属する第２の前記端末位置特定装置が、前記第１の移動通信ネットワークに属する前記端末からの前記位置要求メッセージを受け付けると、前記端末から前記選択されたサーバヘ位置情報の通知が許可されるかどうかを前記第１の端末位置特定装置に問い合わせるものであり、前記第１の端末位置特定装置は、前記プライバシチェック部において、前記プライバシ設定によって前記端末から前記選択されたサーバへの位置情報の通知が許可されるかどうかを判定し、その判定の結果を前記第２の端末位置特定装置に通知するものであり、前記第２の端末位置特定装置は、前記第１の端末位置特定装置から通知された前記判定結果により、前記端末から前記選択されたサーバへの位置情報の通知が許可される場合に、前記端末の前記位置に関する情報を前記端末に提供するものであることを特徴とする。
本発明の第８の位置情報通知システムは、第７の位置情報通知システムにおいて、前記第１の端末位置特定装置は、前記プライバシチェック部において、前記端末のユーザに対して、前記選択されたサーバへの位置情報の通知を許可するかどうかを問い合わせ、前記端末から通知される前記ユーザによる判定結果を、前記第２の端末位置特定装置に通知するものであることを特徴とする。
本発明の第９の位置情報通知システムは、第８の位置情報通知システムにおいて、前記第１の端末位置特定装置の前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第１０の位置情報通知システムは、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおいて、第１の前記移動通信ネットワークに属する第１の前記プライバシチェック装置は、前記第１の移動通信ネットワークに属する各端末を使用するユーザのプライバシ設定を保持し、プライバシチェック部を有し、前記プライバシチェック部は前記第１のネットワークに属する端末から前記選択されたサーバへの位置情報の通知が許可されるかどうかを前記プライバシ設定から判定する機能を有し、第２の前記移動通信ネットワークに属する第２の前記端末位置特定装置が、前記第１の移動通信ネットワークに属する前記端末からの前記位置要求メッセージを受け付けると、前記端末から前記選択されたサーバヘ位置情報の通知が許可されるかどうかを前記第２の移動通信ネットワークに属する第２の前記プライバシチェック装置に問い合わせるものであり、前記第２のプライバシチェック装置は、前記端末から前記選択されたサーバへ位置情報の通知が許可されるかどうかを前記第１のプライバシチェック装置に問い合わせるものであり、前記第１のプライバシチェック装置は、前記プライバシチェック部において、前記プライバシ設定によって前記端末から前記選択されたサーバへの位置情報の通知が許可されるかどうかを判定し、その判定の結果を前記第２のプライバシチェック装置に通知するものであり、前記第２のプライバシチェック装置は、前記第１のプライバシチェック装置からの前記判定結果を前記第２の端末位置特定装置に通知するものであり、前記第２の端末位置特定装置は、前記第２のプライバシチェック装置から通知された前記判定結果により、該端末から前記選択されたサーバへの位置情報の通知が許可される場合に、前記端末の前記位置に関する情報を前記端末に提供するものであることを特徴とする。
本発明の第１１の位置情報通知システムは、第１０の位置情報通知システムにおいて、前記第１のプライバシチェック装置は、前記プライバシチェック部において、前記端末のユーザに対して、前記サーバへの位置情報の通知を許可するかどうかを問い合わせ、前記端末から通知される前記ユーザによる判定結果を、前記第２のプライバシチェック装置に通知するものであることを特徴とする。
本発明の第１２の位置情報通知システムは、第１０の位置情報通知システムにおいて、第２の前記移動通信ネットワークに属する第２の前記端末位置特定装置が、前記第１の移動通信ネットワークに属する前記端末からの前記位置要求メッセージを受け付けると、前記端末から前記選択されたサーバへ位置情報の通知が許可されるかどうかを前記第１のプライバシチェック装置に問い合わせるものであり、前記第１のプライバシチェック装置は、前記プライバシチェック部において、前記プライバシ設定によって前記端末から前記選択されたサーバへの位置情報の通知が許可されるかどうかを判定し、その判定の結果を前記第２の端末位置特定装置に通知するものであり、前記第２の端末位置特定装置は、前記第１のプライバシチェック装置から通知された前記判定結果により、前記端末から前記選択されたサーバへの位置情報の通知が許可される場合に、前記端末の前記位置に関する情報を前記端末に提供するものであることを特徴とする。
本発明の第１３の位置情報通知システムは、第１２の位置情報通知システムにおいて、前記第１のプライバシチェック装置は、前記プライバシチェック部において、前記端末のユーザに対して、前記サーバへの位置情報の通知を許可するかどうかを問い合わせ、前記端末から通知される前記ユーザによる判定結果を、前記第２の端末位置特定装置に通知するものであることを特徴とする。
本発明の第１４の位置情報通知システムは、第１１または１３の位置情報通知システムにおいて、前記端末のプライバシ設定を保持する前記第１のプライバシチェック装置が前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第１５の位置情報通知システムは、第１から１４までのいずれかの位置情報通知システムにおいて、前記端末位置特定装置から前記端末に提供される前記位置に関する情報は、前記端末の位置情報であることを特徴とする。
本発明の第１６の位置情報通知システムは、第１から１４までのいずれかの位置情報通知システムにおいて、前記端末位置特定装置から前記端末に提供される前記位置に関する情報は、前記端末が自端末の位置情報を特定するために必要な補助情報であることを特徴とする。
本発明の第１の位置情報通知方法は、（１）通信可能なサーバに対して自端末の位置情報を通知する端末が、端末位置特定装置に対して位置要求メッセージを送信し、（２）前記端末位置特定装置が、前記端末を使用するユーザのプライバシ設定情報に基づいて、前記端末から前記サーバへの位置情報の通知が許可されているかどうかを判定し、（３）前記端末から前記サーバへの位置情報の通知が許可されていると判定した場合に、前記端末位置特定装置と前記端末との間で測位処理を行い、（４）前記測位処理で取得された前記端末の位置情報を前記端末位置特定装置が前記端末に提供し、（５）前記端末が、前記提供された自端末の位置情報を前記サーバに通知する、ことを特徴とする。
本発明の第２の位置情報通知方法は、（１）通信可能なサーバに対して自端末の位置情報を通知する端末が、端末位置特定装置に対して位置要求メッセージを送信し、（２）前記端末位置特定装置と前記端末との間で測位処理を行い、（３）前記端末位置特定装置が、前記端末を使用するユーザのプライバシ設定情報に基づいて、前記端末から前記サーバへの位置情報の通知が許可されているかどうかを判定し、（４）前記端末から前記サーバへの位置情報の通知が許可されていると判定した場合に、前記測位処理で取得された前記端末の位置情報を前記端末位置特定装置が前記端末に提供し、（５）前記端末が、前記提供された自端末の位置情報を前記サーバに通知する、ことを特徴とする。
本発明の第３の位置情報通知方法は、（１）通信可能なサーバに対して自端末の位置情報を通知する端末が、端末位置特定装置に対して位置要求メッセージを送信し、（２）前記端末位置特定装置が、前記端末を使用するユーザのプライバシ設定情報に基づいて、前記端末から前記サーバへの位置情報の通知が許可されているかどうかを判定すると同時に、前記端末位置特定装置と前記端末との間で測位処理を行い、（３）前記端末から前記サーバへの位置情報の通知が許可されていると判定した場合に、前記測位処理で取得された前記端末の位置情報を前記端末位置特定装置が前記端末に提供し、（４）前記端末が、前記提供された自端末の位置情報を前記サーバに通知する、ことを特徴とする。
本発明の第４の位置情報通知方法は、（１）通信可能なサーバに対して自端末の位置情報を通知する端末が、端末位置特定装置に対して位置要求メッセージを送信し、（２）前記端末位置特定装置が、前記端末を使用するユーザのプライバシ設定情報に基づいて、前記端末から前記サーバへの位置情報の通知が許可されているかどうかを判定し、（３）前記端末から前記サーバへの位置情報の通知が許可されていると判定した場合に、前記端末位置特定装置が、前記端末に対し、前記端末が自端末の位置情報を特定するために必要な補助情報を提供し、（４）前記端末が、前記提供された補助情報を用いて自端末の位置情報を特定し、（５）前記端末が、前記特定した自端末の位置情報を前記サーバに通知する、ことを特徴とする。
本発明の第５の位置情報通知方法は、（１）通信可能なサーバに対して自端末の位置情報を通知する端末が、端末位置特定装置に対して位置要求メッセージを送信し、（２）前記端末位置特定装置が、前記端末のユーザに対して、前記サーバへの位置情報の通知を許可するかどうかを問い合わせ、（３）前記端末が、自端末のユーザ判断結果を前記端末位置特定装置に通知し、（４）前記端末位置特定装置が、通知されたユーザ判断結果を確認し、（５）前記端末から前記サーバへの位置情報の通知が許可されていると判定した場合に、前記端末位置特定装置と前記端末との間で測位処理を行い、（６）前記端末位置特定装置が、前記測位処理で取得された前記端末の位置情報を前記端末に提供し、（７）前記端末が、前記提供された自端末の位置情報を前記サーバに通知する、ことを特徴とする。
本発明の第６の位置情報通知方法は、（１）通信可能なサーバに対して自端末の位置情報を通知する端末が、端末位置特定装置に対して位置要求メッセージを送信し、（２）前記端末位置特定装置が、前記端末を使用するユーザのプライバシ設定情報に基づいて、前記端末から前記サーバへの位置情報の通知が許可されているかどうかを判定し、（３）前記端末から前記サーバへの位置情報の通知が許可されていないと判定した場合に、前記端末位置特定装置が、前記端末のユーザに対して、前記サーバへの位置情報の通知を許可するかどうかを問い合わせ、（４）前記端末が、自端末のユーザ判断結果を前記端末位置特定装置に通知し、（５）前記端末位置特定装置が、通知されたユーザ判断結果を確認し、（６）前記端末から前記サーバへの位置情報の通知が許可されていると判定した場合に、前記端末位置特定装置と前記端末との間で測位処理を行い、（７）前記端末位置特定装置が、前記測位処理で取得された前記端末の位置情報を前記端末に提供し、（８）前記端末が、前記提供された自端末の位置情報を前記サーバに通知する、ことを特徴とする。
本発明の第７の位置情報通知方法は、（１）通信可能なサーバに対して自端末の位置情報を通知する端末が、端末位置特定装置に対して位置要求メッセージを送信し、（２）前記端末位置特定装置は、前記位置要求メッセージを受け付けると、プライバシチェック装置に対してプライバシチェックを要求し、（３）前記プライバシチェック装置が、前記端末を使用するユーザのプライバシ設定情報に基づいて、前記端末から前記サーバへの位置情報の通知が許可されているかどうかを判定し、（４）前記プライバシチェック装置が、プライバシチェック結果を前記端末位置特定装置に通知し、（５）前記プライバシチェック結果により前記端末から前記サーバへの位置情報の通知が許可されている場合に、前記端末位置特定装置と前記端末との間で測位処理を行い、（６）前記端末位置特定装置が、前記測位処理で取得された前記端末の位置情報を前記端末に提供し、（７）前記端末が、前記提供された自端末の位置情報を前記サーバに通知する、ことを特徴とする。
本発明の第８の位置情報通知方法は、（１）通信可能なサーバに対して自端末の位置情報を通知する端末が、端末位置特定装置に対して位置要求メッセージを送信し、（２）前記端末位置特定装置は、前記位置要求メッセージを受け付けると、プライバシチェック装置に対してプライバシチェックを要求し、（３）前記プライバシチェック装置が、前記端末を使用するユーザのプライバシ設定情報に基づいて、前記端末から前記サーバへの位置情報の通知が許可されているかどうかを判定し、（４）前記端末から前記サーバへの位置情報の通知が許可されていないと判定した場合に、前記プライバシチェック装置が、前記端末のユーザに対して、前記サーバへの位置情報の通知を許可するかどうかを問い合わせ、（５）前記端末が、自端末のユーザ判断結果を前記プライバシチェック装置に通知し、（６）前記プライバシチェック装置が、通知されたユーザ判断結果を確認し、（７）前記プライバシチェック装置が、プライバシチェック結果を前記端末位置特定装置に通知し、（８）前記プライバシチェック結果により前記端末から前記サーバへの位置情報の通知が許可されている場合に、前記端末位置特定装置と前記端末との間で測位処理を行い、（９）前記端末位置特定装置が、前記測位処理で取得された前記端末の位置情報を前記端末に提供し、（１０）前記端末が、前記提供された自端末の位置情報を前記サーバに通知する、ことを特徴とする。
本発明の第９の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、前記端末の属する第２の移動通信ネットワークに接続された第２の端末位置特定装置に対して、プライバシチェックを要求し、（３）前記第２の端末位置特定装置が、前記端末を使用するユーザのプライバシ設定情報に基づいて、前記端末から前記サーバへの位置情報の通知が許可されているかどうかを判定し、（４）前記第２の端末位置特定装置が、プライバシチェック結果を前記第１の端末位置特定装置に通知し、（５）前記プライバシチェック結果により前記端末から前記サーバへの位置情報の通知が許可されている場合に、前記第１の端末位置特定装置と前記端末との間で測位処理を行い、（６）前記第１の端末位置特定装置が、前記測位処理で取得された前記端末の位置情報を前記端末に提供し、（７）前記端末が、前記提供された自端末の位置情報を前記サーバに通知する、ことを特徴とする。
本発明の第１０の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、前記端末の属する第２の移動通信ネットワークに接続された第２の端末位置特定装置に対して、プライバシチェックを要求し、（３）前記第２の端末位置特定装置が、前記端末のユーザに対して、前記サーバへの位置情報の通知を許可するかどうかを問い合わせ、（４）前記端末が、自端末のユーザ判断結果を前記第２の端末位置特定装置に通知し、（５）前記第２の端末位置特定装置が、通知されたユーザ判断結果を確認し、（６）前記第２の端末位置特定装置が、プライバシチェック結果を前記第１の端末位置特定装置に通知し、（７）前記プライバシチェック結果により前記端末から前記サーバへの位置情報の通知が許可されている場合に、前記第１の端末位置特定装置と前記端末との間で測位処理を行い、（８）前記第１の端末位置特定装置が、前記測位処理で取得された前記端末の位置情報を前記端末に提供し、（９）前記端末が、前記提供された自端末の位置情報を前記サーバに通知する、ことを特徴とする。
本発明の第１１の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、前記端末の属する第２の移動通信ネットワークに接続された第２の端末位置特定装置に対して、プライバシチェックを要求し、（３）前記第２の端末位置特定装置が、前記端末を使用するユーザのプライバシ設定情報に基づいて、前記端末から前記サーバへの位置情報の通知が許可されているかどうかを判定し、（４）前記端末から前記サーバへの位置情報の通知が許可されていないと判定した場合に、前記第２の端末位置特定装置が前記端末のユーザに対して、前記サーバへの位置情報の通知を許可するかどうかを問い合わせ、（５）前記端末が、自端末のユーザ判断結果を前記第２の端末位置特定装置に通知し、（６）前記第２の端末位置特定装置が、通知されたユーザ判断結果を確認し、（７）前記第２の端末位置特定装置が、プライバシチェック結果を前記第１の端末位置特定装置に通知し、（８）前記プライバシチェック結果により前記端末から前記サーバへの位置情報の通知が許可されている場合に、前記第１の端末位置特定装置と前記端末との間で測位処理を行い、（９）前記第１の端末位置特定装置が、前記測位処理で取得された前記端末の位置情報を前記端末に提供し、（１０）前記端末が、前記提供された自端末の位置情報を前記サーバに通知する、ことを特徴とする。
本発明の第１２の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、同じ第１の移動通信ネットワークに接続された第１のプライバシチェック装置に対して、プライバシチェックを要求し、（３）前記第１のプライバシチェック装置が、前記端末の属する第２の移動通信ネットワークに接続された第２のプライバシチェック装置に対して、プライバシチェックを要求し、（４）前記第２のプライバシチェック装置が、前記端末を使用するユーザのプライバシ設定情報に基づいて、前記端末から前記サーバへの位置情報の通知が許可されているかどうかを判定し、（５）前記第２のプライバシチェック装置が、プライバシチェック結果を前記第１のプライバシチェック装置に通知し、（６）前記第１のプライバシチェック装置が、通知された前記プライバシチェック結果を前記第１の端末位置特定装置に通知し、（７）前記プライバシチェック結果により前記端末から前記サーバへの位置情報の通知が許可されている場合に、前記第１の端末位置特定裝置と前記端末との間で測位処理を行い、（８）前記第１の端末位置特定装置が、前記測位処理で取得された前記端末の位置情報を前記端末に提供し、（９）前記端末が、前記提供された自端末の位置情報を前記サーバに通知する、ことを特徴とする。
本発明の第１３の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、同じ第１の移動通信ネットワークに接続された第１のプライバシチェック装置に対して、プライバシチェックを要求し、（３）前記第１のプライバシチェック装置が、前記端末の属する第２の移動通信ネットワークに接続された第２のプライバシチェック装置に対して、プライバシチェックを要求し、（４）前記第２のプライバシチェック装置が、前記端末のユーザに対して、前記サーバへの位置情報の通知を許可するかどうかを問い合わせ、（５）前記端末が、自端末のユーザ判断結果を前記第２のプライバシチェック装置に通知し、（６）前記第２のプライバシチェック装置が、通知されたユーザ判断結果を確認し、（７）前記第２のプライバシチェック装置が、プライバシチェック結果を前記第１のプライバシチェック装置に通知し、（８）前記第１のプライバシチェック装置が、通知された前記プライバシチェック結果を前記第１の端末位置特定装置に通知し、（９）前記プライバシチェック結果により前記端末から前記サーバへの位置情報の通知が許可されている場合に、前記第１の端末位置特定装置と前記端末との間で測位処理を行い、（１０）前記第１の端末位置特定装置が、前記測位処理で取得された前記端末の位置情報を前記端末に提供し、（１１）前記端末が、前記提供された自端末の位置情報を前記サーバに通知する、ことを特徴とする。
本発明の第１４の位置情報通知方法は、（１）通信可能なサーバに対して自端末の位置情報を通知する端末が、自端末が接続されている第１の移動通信ネットワークに接続された第１の端末位置特定装置に対して位置要求メッセージを送信し、（２）前記第１の端末位置特定装置が、同じ第１の移動通信ネットワークに接続された第１のプライバシチェック装置に対して、プライバシチェックを要求し、（３）前記第１のプライバシチェック装置が、前記端末の属する第２の移動通信ネットワークに接続された第２のプライバシチェック装置に対して、プライバシチェックを要求し、（４）前記第２のプライバシチェック装置が、前記端末を使用するユーザのプライバシ設定情報に基づいて、前記端末から前記サーバへの位置情報の通知が許可されているかどうかを判定し、（５）前記端末から前記サーバへの位置情報の通知が許可されていないと判定した場合に、前記第２のプライバシチェック装置が、前記端末のユーザに対して、前記サーバへの位置情報の通知を許可するかどうかを問い合わせ、（６）前記端末が、自端末のユーザ判断結果を前記第２のプライバシチェック装置に通知し、（７）前記第２のプライバシチェック装置が、通知されたユーザ判断結果を確認し、（８）前記第２のプライバシチェック装置が、プライバシチェック結果を前記第１のプライバシチェック装置に通知し、（９）前記第１のプライバシチェック装置が、通知された前記プライバシチェック結果を前記第１の端末位置特定装置に通知し、（１０）前記プライバシチェック結果により前記端末から前記サーバへの位置情報の通知が許可されている場合に、前記第１の端末位置特定装置と前記端末との間で測位処理を行い、（１１）前記第１の端末位置特定装置が、前記測位処理で取得された前記端末の位置情報を前記端末に提供し、（１２）前記端末が、前記提供された自端末の位置情報を前記サーバに通知する、ことを特徴とする。
本発明の第１の端末位置特定装置は、１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して前記端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記端末位置特定装置において、前記端末を使用するユーザのプライバシ設定を保持する保持部と、前記端末から前記選択されたサーバへの位置情報の通知が許可されるかどうかを前記プライバシ設定から判定するプライバシチェック部と、前記端末からの前記位置要求メッセージを受け付けると前記プライバシチェック部により、前記端末から前記選択されたサーバへの位置情報の通知が許可されるかどうかを判定し、許可される場合に、前記端末の前記位置に関する情報を前記端末に提供する提供部とを備えることを特徴とする。
本発明の第２の端末位置特定装置は、第１の端末位置特定装置において、前記プライバシチェック部において、前記端末のユーザに対して、前記選択されたサーバへの位置情報の通知を許可するかどうかを問い合わせ、前記ユーザが前記選択されたサーバへの位置情報の通知を許可する場合にのみ、前記端末の前記位置に関する情報を前記端末に提供するものであることを特徴とする。
本発明の第３の端末位置特定装置は、第２の端末位置特定装置において、前記プライバシチェック部が前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第４の端末位置特定装置は、１つ以上の端末と１つ以上の端末位置特定装置と１つ以上のプライバシチェック装置とが接続された移動通信ネットワークと、前記端末と通信可能な１つ以上のサーバとによって構成され、前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置において、前記端末からの位置要求メッセージを受け付けると、前記端末から前記選択されたサーバへ位置情報の通知が許可されるかどうかを、前記端末を使用するユーザのプライバシ設定を保持するプライバシチェック装置に問い合わせるものであり、その判定の結果を前記端末位置特定装置に通知してきたときに、前記プライバシチェック装置から通知された前記判定結果により、前記端末から前記選択されたサーバへの位置情報の通知が許可される場合に、前記端末の前記位置に関する情報を前記端末に提供するものであることを特徴とする。
本発明の第５の端末位置特定装置は、１つ以上の端末と１つ以上の端末位置特定装置と１つ以上のプライバシチェック装置とが接続された２つ以上の移動通信ネットワークと、前記端末と通信可能な１つ以上のサーバとによって構成され前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置において、自端末位置特定装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、自端末位置特定装置が接続された移動通信ネットワークに属する前記端末から、前記位置要求メッセージを受け付けたときに、前記プライバシチェック部において、前記プライバシ設定によって前記端末から前記選択されたサーバへの位置情報の通知が許可されるかどうかを判定し、許可されている場合に前記端末の前記位置に関する情報を前記端末に提供するものであり、自端末位置特定装置が接続された移動通信ネットワークに属しない前記端末から、前記位置要求メッセージを受け付けたときに、前記端末から前記選択されたサーバへの位置情報の通知が許可されるかどうかを、前記端末が属する他の移動通信ネットワークに接続された他の端末位置特定装置に問い合わせ、その問い合わせ結果により、許可されている場合に前記端末の前記位置に関する情報を前記端末に提供するものであり、自端末位置特定装置が接続された移動通信ネットワーク以外の他の移動通信ネットワークに接続された他の端末位置特定装置から、自端末位置特定装置が接続された移動通信ネットワークに属する前記端末から出された前記位置要求メッセージに関し、前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他の端末位置特定装置に通知するものであることを特徴とする。
本発明の第６の端末位置特定装置は、第５の端末位置特定装置において、前記プライバシチェック部において、前記端末のユーザに対して、前記サーバへの位置情報の通知を許可するかどうかを問い合わせ、前記端末から通知される前記ユーザによる判定結果を用いることを特徴とする。
本発明の第７の端末位置特定装置は、第６の端末位置特定装置において、前記プライバシチェック部が前記端末のユーザに対して前記問い合わせを行なう条件が、前記端末から前記サーバへの位置情報の通知が前記端末を使用するユーザのプライバシ設定により許可されない場合であることを特徴とする。
本発明の第８の端末位置特定装置は、第１から７までのいずれかの端末位置特定装置において、前記端末に提供する前記位置に関する情報は、前記端末の位置情報であることを特徴とする。
本発明の第９の端末位置特定装置は、第１から７までのいずれかの端末位置特定装置において、前記端末に提供する前記位置に関する情報は、前記端末が自端末の位置情報を特定するために必要な補助情報であることを特徴とする。
本発明の第１のプライバシチェック装置は、１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記プライバシチェック装置において、各端末を使用するユーザのプライバシ設定を保持する保持部と、前記端末から前記サーバへの位置情報の通知が許可されるかどうかを前記プライバシ設定から判定するプライバシチェック部とを備え、前記端末位置特定装置が、前記端末からの位置要求メッセージを受け付け、前記端末から前記選択されたサーバへ位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定の結果を前記端末位置特定装置に通知することを特徴とする。
本発明の第２のプライバシチェック装置は、第１のプライバシチェック装置において、前記端末のユーザに対して、前記選択されたサーバへの位置情報の通知を許可するかどうかを問い合わせ、前記端末から通知される前記ユーザによる判定結果を、前記端末位置特定装置に通知するものであることを特徴とする。
本発明の第３のプライバシチェック装置は、第２のプライバシチェック装置において、前記端末のユーザに対して前記問い合わせを行なう条件が、前記端末から前記選択されたサーバへの位置情報の通知が前記端末を使用するユーザのプライバシ設定により許可されない場合であることを特徴とする。
本発明の第４のプライバシチェック装置は、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置において、自プライバシチェック装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、自プライバシチェック装置が接続された移動通信ネットワーク以外の他の移動通信ネットワークに接続された他のプライバシチェック装置から、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他のプライバシチェック装置に通知するものであることを特徴とする。
本発明の第５のプライバシチェック装置は、第４のプライバシチェック装置において、前記プライバシチェック部において、前記端末のユーザに対して、前記サーバへの位置情報の通知を許可するかどうかを問い合わせ、前記端末から通知される前記ユーザによる判定結果を用いることを特徴とする。
本発明の第６のプライバシチェック装置は、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置において、自プライバシチェック装置が接続された移動通信ネットワークに属する各端末を使用するユーザのプライバシ設定を保持する保持部と、自装置が接続された移動通信ネットワークに属する前記端末から前記選択されたサーバへの位置情報の通知が許可されるかどうかを前記プライバシ設定から判定するプライバシチェック部とを備え、自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、自プライバシチェック装置が接続された移動通信ネットワーク以外の他の移動通信ネットワークに接続された前記端末位置特定装置が、自プライバシチェック装置が接続された移動通信ネットワークに属する前記端末から前記選択されたサーバへの位置情報の通知が許可されるかどうかを問い合わせてきたときに、前記プライバシチェック部において前記プライバシ設定によって前記端末から前記選択されたサーバへの位置情報の通知が許可されるかどうかを判定し、その判定結果を前記端末位置特定装置に通知するものであることを特徴とする。
本発明の第７のプライバシチェック装置は、第６のプライバシチェック装置において、前記プライバシチェック部において、前記端末のユーザに対して、前記サーバへの位置情報の通知を許可するかどうかを問い合わせ、前記端末から通知される前記ユーザによる判定結果を用いることを特徴とする。
本発明の第８のプライバシチェック装置は、第５または７のプライバシチェック装置において、前記端末のユーザに対して前記問い合わせを行なう条件が、前記端末から前記サーバへの位置情報の通知が前記端末を使用するユーザのプライバシ設定により許可されない場合であることを特徴とする。
本発明の第９のプライバシチェック装置は、第１から８までのいずれかのプライバシチェック装置において、前記端末位置特定装置から前記端末に提供される前記位置に関する情報は、前記端末の位置情報であることを特徴とする。
本発明の第１０のプライバシチェック装置は、第１から８までのいずれかに記載のプライバシチェック装置において、前記端末位置特定装置から前記端末に提供される前記位置に関する情報は、前記端末が自端末の位置情報を特定するために必要な補助情報であることを特徴とする。
本発明の第１の端末位置特定装置用のプログラムは、１つ以上の端末と１つ以上の端末位置特定装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して前記端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記端末位置特定装置を構成するコンピュータを、前記端末を使用するユーザのプライバシ設定を保持する保持部、前記端末から前記選択されたサーバへの位置情報の通知が許可されるかどうかを前記プライバシ設定から判定するプライバシチェック部、前記端末からの前記位置要求メッセージを受け付けると、前記プライバシチェック部により、前記端末から前記選択されたサーバへの位置情報の通知が許可されるかどうかを判定し、許可される場合に、前記端末の前記位置に関する情報を前記端末に提供する提供部、として機能させることを特徴とする。
本発明の第２の端末位置特定装置用のプログラムは、１つ以上の端末と１つ以上の端末位置特定装置と１つ以上のプライバシチェック装置とが接続された移動通信ネットワークと、前記端末と通信可能な１つ以上のサーバとによって構成され、前記プライバシチェック装置は各端末を使用するユーザのプライバシ設定を保持し、プライバシチェック部を有し、前記プライバシチェック部は前記端末から前記サーバへの位置情報の通知が許可されるかどうかを前記プライバシ設定から判定する機能を有し、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置を構成するコンピュータを、前記端末からの位置要求メッセージを受け付けると、前記端末から前記選択されたサーバへ位置情報の通知が許可されるかどうかを、前記端末を使用するユーザのプライバシ設定を保持するプライバシチェック装置に問い合わせる手段、前記プライバシチェック装置から通知された前記判定結果により、前記端末から前記選択されたサーバへの位置情報の通知が許可される場合に、前記端末の前記位置に関する情報を前記端末に提供する手段、として機能させることを特徴とする。
本発明の第３の端末位置特定装置用のプログラムは、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記端末位置特定装置を構成するコンピュータを、自端末位置特定装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、自端末位置特定装置が接続された移動通信ネットワークに属する前記端末から、前記位置要求メッセージを受け付けたときに、前記プライバシチェック部において、前記プライバシ設定によって前記端末から前記選択されたサーバへの位置情報の通知が許可されるかどうかを判定し、許可されている場合に前記端末の前記位置に関する情報を前記端末に提供するものであり、自端末位置特定装置が接続された移動通信ネットワークに属しない前記端末から、前記位置要求メッセージを受け付けたときに、前記端末から前記選択されたサーバへの位置情報の通知が許可されるかどうかを、前記端末が属する他の移動通信ネットワークに接続された他の端末位置特定装置に問い合わせ、その問い合わせ結果により、許可されている場合に前記端末の前記位置に関する情報を前記端末に提供するものであり、自端末位置特定装置が接続された移動通信ネットワーク以外の他の移動通信ネットワークに接続された他の端末位置特定装置から、自端末位置特定装置が接続された移動通信ネットワークに属する前記端末から出された前記位置要求メッセージに関し、前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他の端末位置特定装置に通知するものであることを特徴とする。
本発明の第１のプライバシチェック装置用のプログラムは、１つ以上の端末と１つ以上の端末位置特定装置と１つ以上のプライバシチェック装置とが接続された移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、該位置情報を前記選択したサーバに通知する位置情報通知システムにおける前記プライバシチェック装置を構成するコンピュータを、各端末を使用するユーザのプライバシ設定を保持する保持部、前記端末から前記サーバへの位置情報の通知が許可されるかどうかを前記プライバシ設定から判定するプライバシチェック部、として機能させるプログラムであり、
前記端末位置特定装置が、前記端末からの位置要求メッセージを受け付け、前記端末から前記選択されたサーバへ位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定の結果を前記端末位置特定装置に通知することを特徴とする。
本発明の第２のプライバシチェック装置用のプログラムは、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置を構成するコンピュータを、自プライバシチェック装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、自プライバシチェック装置が接続された移動通信ネットワーク以外の他の移動通信ネットワークに接続された他のプライバシチェック装置から、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記他のプライバシチェック装置に通知するものであることを特徴とする。
本発明の第３のプライバシチェック装置用のプログラムは、１つ以上の端末と１つ以上の端末位置特定装置と１つ以上のプライバシチェック装置とが接続された２つ以上の移動通信ネットワークと、前記端末と通信可能な１つ以上のサーバとによって構成され、前記端末位置特定装置は、前記端末からの位置要求メッセージを受け付けて前記端末の位置に関する情報を前記端末に提供する機能を有し、前記端末が前記通信可能な１つ以上のサーバから選択したサーバに対して自端末の位置情報を通知する場合に、前記端末は前記位置要求メッセージにより前記端末位置特定装置から自端末の前記位置に関する情報を取得し、自端末の位置情報を特定し、前記位置情報を前記選択したサーバに通知する位置情報通知システムにおける前記プライバシチェック装置を構成するコンピュータを、自プライバシチェック装置が接続された移動通信ネットワークに属する各端末を使用するユーザのプライバシ設定を保持する保持部、自装置が接続された移動通信ネットワークに属する前記端末から前記選択されたサーバへの位置情報の通知が許可されるかどうかを前記プライバシ設定から判定するプライバシチェック部、として機能させるプログラムであり、自プライバシチェック装置が接続された移動通信ネットワークに接続された前記端末位置特定装置が前記端末からの前記位置要求メッセージを受け付け、前記端末から前記選択されたサーバへの位置情報の通知が許可されるかどうかを問い合わせてきたときに、前記端末が自プライバシチェック装置が接続された移動通信ネットワークに属する端末である場合には、前記プライバシチェック部において、前記プライバシ設定によって前記端末から前記選択されたサーバへの位置情報の通知が許可されるかどうかを判定し、その判定結果を前記端末位置特定装置に通知するものであり、前記端末が自プライバシチェック装置が接続された移動通信ネットワークに属しない端末である場合には、前記端末から前記選択されたサーバへの位置情報の通知が許可されるかどうかを、前記端末が属する他の移動通信ネットワークに接続された他のプライバシチェック装置に問い合わせ、その問い合わせ結果を前記端末位置特定装置に通知するものであり、自プライバシチェック装置が接続された移動通信ネットワーク以外の他の移動通信ネットワークに接続された前記端末位置特定装置が、自プライバシチェック装置が接続された移動通信ネットワークに属する前記端末から前記選択されたサーバへの位置情報の通知が許可されるかどうかを問い合わせてきたときに、前記プライバシチェック部において、前記プライバシ設定によって前記端末から前記選択されたサーバへの位置情報の通知が許可されるかどうかを判定し、その判定結果を前記端末位置特定装置に通知するものであることを特徴とする。
【図面の簡単な説明】  図１は、本発明の第１、第２、第３および第４の実施例による位置情報通知システムの構成図である。
図２は、本発明の第１の実施例による位置情報通知システムの、端末位置特定装置の構成を示すブロック図である。
図３は、本発明の第１および第２の実施例による位置情報通知システムの、端末位置特定装置のプライバシチェック部の動作を示すフローチャートである。
図４は、本発明の第１の実施例による位置情報通知システムにおいて、端末が自らの位置を取得してサーバに通知するシーケンスを示した図である。
図５は、本発明の第２の実施例による位置情報通知システムの、端末位置特定装置の構成を示すブロック図である。
図６は、本発明の第２の実施例による位置情報通知システムにおいて、端末が自らの位置を取得してサーバに通知するシーケンスを示した図である。
図７は、本発明の第３の実施例による位置情報通知システムの、端末位置特定装置の構成を示すブロック図である。
図８は、本発明の第３の実施例による位置情報通知システムの、端末位置特定装置のプライバシチェック部の動作を示すフローチャートである。
図９は、本発明の第３の実施例による位置情報通知システムにおいて、端末が自らの位置を取得してサーバに通知するシーケンスを示した図である。
図１０は、本発明の第４の実施例による位置情報通知システムの、端末位置特定装置の構成を示した図である。
図１１は、本発明の第４の実施例による位置情報通知システムの、端末位置特定装置のプライバシチェック部の動作を示すフローチャートである。
図１２は、本発明の第４の実施例による位置情報通知システムにおいて、ユーザのプライバシ設定によって端末からサーバへの位置情報通知が許可されない場合に、端末が自らの位置を取得してサーバに通知するシーケンスを示した図である。
図１３は、本発明の第５および第６の実施例による位置情報通知システムの構成図である。
図１４は、本発明の第５、第６および第８の実施例による位置情報通知システムの、端末位置特定装置の構成を示すブロック図である。
図１５は、本発明の第５の実施例による位置情報通知システムの、プライバシチェック装置の構成を示すブロック図である。
図１６は、本発明の第５の実施例による位置情報通知システムにおける、プライバシチェック装置のプライバシチェック部の動作を示すフローチャートである。
図１７は、本発明の第５の実施例による位置情報通知システムにおいて、端末が自らの位置を取得してサーバに通知するシーケンスを示した図である。
図１８は、本発明の第６の実施例による位置情報通知システムにおける、プライバシチェック装置の構成を示すブロック図である。
図１９は、本発明の第６の実施例による位置情報通知システムにおける、プライバシチェック装置のプライバシチェック部の動作を示すフローチャートである。
図２０は、本発明の第６の実施例による位置情報通知システムにおいて、ユーザのプライバシ設定によって端末からサーバへの位置情報通知が許可されない場合に、端末が自らの位置を取得してサーバに通知するシーケンスを示した図である。
図２１は、本発明の第７の実施例による位置情報通知システムの構成図である
図２２は、本発明の第７の実施例による位置情報通知システムにおける、端末位置特定装置の構成を示した図である。
図２３は、本発明の第７の実施例による位置情報通知システムにおける、端末位置特定装置のプライバシチェック部の動作を示すフローチャートである。
図２４は、本発明の第７の実施例による位置情報通知システムにおいて、端末が自らの位置を取得してサーバに通知するシーケンスを示した図である。
図２５は、本発明の第８の実施例による位置情報通知システムの構成図である
図２６は、本発明の第８の実施例による位置情報通知システムにおける、プライバシチェック装置の構成を示した図である。
図２７は、本発明の第８の実施例による位置情報通知システムにおける、プライバシチェック装置のプライバシチェック部の動作を示すフローチャートである。
図２８は、本発明の第８の実施例による位置情報通知システ厶において、端末が自らの位置を取得してサーバに通知するシーケンスを示した図である。
図２９は、本発明の第９の実施例による位置情報通知システムの構成を示すブロック図である。
図３０は、本発明の第９の実施例による位置情報通知システムにおいて、ＵＥ装置が自装置の位置情報を取得して外部装置に通知するシーケンスを示した図である。
図３１は、本発明の第１０の実施例による位置情報通知システムの構成を示すブロック図である。
図３２は、本発明の第１０の実施例による位置情報通知システムにおいて、ＵＥ装置が自装置の位置情報を取得して外部装置に通知するシーケンスを示した図である。
図３３は、文献１における移動体ネットワークの、端末の位置情報の特定に必要となる構成を示したブロック図である。
図３４は、文献１による移動体ネットワークにおいて、端末が自ら位置情報を取得してクライアント装置に通知するシーケンスを示した図である。
図３５は、文献２により開示された、セルＩＤ方式によって端末が移動体ネットワークから位置情報を取得するシーケンスを示した図である。
図３６は、文献２により開示された、ネットワーク補助型ＧＰＳ方式によって端末が移動体ネットワークから補助情報を取得して位置情報を特定するシーケンスを示した図である。
図３７は、文献３における、プライバシ保護を実現する無線通信システムの構成を示した図である。
【発明を実施するための最良の形態】  本発明の第１の実施の形態にかかる位置情報通知システムは、１つ以上の端末と、１つ以上の端末位置特定装置と、その他必要な複数の通信装置を含む移動体ネットワークと、端末と通信可能な１つ以上のサーバとから構成され、端末位置特定装置は、端末のユーザが設定したプライバシ条件を保持する。端末がサーバに通知する位置情報を特定するために、端末位置特定装置から位置に関する情報を取得する過程において、端末位置特定装置は、端末からの位置要求メッセージを受け付けると、端末を使用するユーザのプライバシ設定から、端末からサーバに位置情報の通知が許可されるかどうかを判定し、許可される場合にのみ、端末の位置に関する情報を端末に提供する。
第１の実施の形態にかかる位置情報通知システムにおいては、端末からの位置要求メッセージを受け付けた端末位置特定装置が、位置に関する情報を端末に提供するに先立って、端末のユーザによるプライバシ設定からプライバシの判定を行ない、端末からサーバへの位置情報の通知が許可される場合にのみ、端末へ位置に関する情報を提供することにより、本発明の目的を達成する。
［第２の実施の形態］
本発明の第２の実施の形態にかかる位置情報通知システムは、第１の実施の形態にかかる位置情報通知システムにおいて、端末位置特定装置は、端末から位置要求メッセージを受け付けると、端末のユーザに対してサーバに位置情報の通知を許可するかどうかを問い合わせ、ユーザが許可する場合にのみ、端末の位置に関する情報を端末に提供する。
第２の実施の形態にかかる位置情報通知部においては、端末からの位置要求メッセージを受け付けた端末位置特定装置が、端末からサーバへの位置情報の通知が許可されるかどうかを端末のユーザに問い合わせ、ユーザが許可する場合にのみ、端末位置特定装置が端末に対して位置に関する情報を提供することにより、本発明の目的を達成する。
［第３の実施の形態］
本発明の第３の実施の形態にかかる位置情報通知システムは、第２の実施の形態にかかる位置情報通知システムにおいて、端末位置特定装置は、端末から位置要求メッセージを受け付けると、最初に端末を使用するユーザのプライバシ設定を確認し、プライバシ設定が端末からサーバに位置情報の通知を許可していない場合に、端末のユーザに対してサーバへ位置情報を通知するかどうかを判定させる。
第３の実施の形態にかかる位置情報通知システムにおいては、端末からの位置要求メッセージを受け付けた端末位置特定装置が、まず端末のユーザによるプライバシ設定からプライバシの判定を行ない、プライバシ設定により端末からサーバへの位置情報の通知が許可されない場合に、端末のユーザに位置情報の通知の可否を問い合わせ、ユーザがサーバへの位置情報の通知を許可する場合にのみ、端末位置特定装置が端末に対して位置に関する情報を提供することにより、本発明の目的を達成する。
［第４の実施の形態］
本発明の第４の実施の形態にかかる位置情報通知システムは、１つ以上の端末と、１つ以上の端末位置特定装置と、１つ以上のプライバシチェック装置と、その他必要な複数の通信装置を含む移動体ネットワークと、端末と通信可能な１つ以上のサーバとから構成され、プライバシチェック装置は、端末のユーザが設定したプライバシ条件を保持する。端末がサーバに通知する位置情報を特定するために、端末位置特定装置から位置に関する情報を取得する過程において、端末位置特定装置は、端末からの位置要求メッセージを受け付けると、端末からサーバに対して位置情報の通知が許可されているかどうかを、プライバシチェック装置に問い合わせる。プライバシチェック装置は、端末を使用するユーザのプライバシ設定から、端末からサーバに位置情報の通知が許可されるかどうかを判定してその判定結果を端末位置特定装置に通知し、端末位置特定装置は、通知された判定結果において位置情報の通知が許可されている場合にのみ、端末の位置に関する情報を特定して端末に提供する。
第４の実施の形態にかかる位置情報通知システムにおいては、端末からの位置要求メッセージを受け付けた端末位置特定装置は、位置に関する情報を端末に提供するに先立って、プライバシチェック装置に対してプライバシの判定を求め、プライバシチェック装置は、ユーザによるプライバシ設定によって端末からサーバへの位置情報の通知が許可されるかどうかを判定し、許可される場合にのみ、端末位置特定装置は端末へ位置に関する情報を提供することにより、本発明の目的を達成する。
［第５の実施の形態］
本発明の第５の実施の形態にかかる位置情報通知システムは、第４の実施の形態にかかる位置情報通知システムにおいて、プライバシチェック装置は、端末のユーザに対してサーバに位置情報の通知を許可するかどうかを問い合わせ、ユーザの判定結果を端末位置特定装置に通知する。
第５の実施の形態にかかる位置情報通知システにおいては、端末位置特定装置からプライバシ判定を要求されたプライバシチェック装置は、端末のユーザに対してサーバへの位置情報通知を許可するかどうかを問い合わせ、ユーザによる判定を端末位置特定装置に通知することにより、本発明の目的を達成する。
［第６の実施の形態］
本発明の第６の実施の形態にかかる位置情報通知システムは、第５の実施の形態にかかる位置情報通知システムにおいて、プライバシチェック装置は、最初に端末のユーザによるプライバシ設定を確認し、プライバシ設定が端末からサーバへの位置情報の通知を許可していない場合に、端末のユーザに対してサーバへ位置情報を通知するかどうかを判定させる。
第６の実施の形態にかかる位置情報通知システムにおいては、端末位置特定装置からプライバシ判定を要求されたプライバシチェック装置は、まず端末のユーザによるプライバシ設定からプライバシの判定を行ない、プライバシ設定により端末からサーバへの位置情報の通知が許可されない場合に、端末のユーザに位置情報の通知の可否を問い合わせ、ユーザによる判定を端末位置特定装置に通知することにより、本発明の目的を達成する。
［第７の実施の形態］
本発明の第７の実施の形態にかかる位置情報通知システムにおいては、１つ以上の端末と、１つ以上の端末位置特定装置と、その他必要な複数の通信装置を含む移動体ネットワークが２つ以上存在し、また端末と通信可能な１つ以上のサーバとから構成される。第１の移動体ネットワークに属する第１の端末位置特定装置は、第１の移動体ネットワークに属する端末のプライバシ設定を保持する。第１の移動体ネットワークに属する端末が第２の移動体ネットワークに接続されている場合、サーバに通知するための位置情報を特定するために、第２の移動体ネットワークに属する第２の端末位置特定装置に位置要求メッセージを送信する。第２の端末位置特定装置は、端末からサーバへの位置情報の通知が許可されているかどうかを第１の端末位置特定装置に問い合わせる。第１の端末位置特定装置は、端末を使用するユーザのプライバシ設定から、端末からサーバに位置情報の通知が許可されるかどうかを判定し、判定結果を第２の端末位置特定装置に通知する。第２の端末位置特定装置は、第１の端末位置特定装置から通知された判定結果が、端末からサーバへの位置情報の通知を許可する場合にのみ、端末の位置に関する情報を端末に提供する。
第７の実施の形態にかかる位置情報通知システムにおいては、移動体ネットワークが複数存在し、端末位置特定装置は同じ移動体ネットワークに属する端末を使用するユーザのプライバシ設定を保持する。端末が、所属する移動体ネットワークとは異なる移動体ネットワークに接続した場合に、端末からの位置要求メッセージを受け付けた端末位置特定装置は、端末のプライバシ情報を保持する端末位置特定装置に対してプライバシ判定を要求し、プライバシ判定の要求を受けた端末位置特定装置が、端末を使用するユーザのプライバシ設定から、端末からサーバへの位置情報の通知が許可されるかどうかを判定することにより、本発明の目的を達成する。
［第８の実施の形態］
本発明の第８の実施の形態にかかる位置情報通知システムは、第７の実施の形態にかかる位置情報通知システムにおいて、第１の端末位置特定装置は、端末のユーザに対してサーバに位置情報の通知を許可するかどうかを問い合わせ、ユーザの判定結果を端末位置特定装置に通知する。
第８の実施の形態にかかる位置情報通知システムにおいては、プライバシ判定の要求を受けた端末位置特定装置は、端末のユーザに対してサーバへの位置情報通知を許可するかどうかを問い合わせ、ユーザによる判定結果をプライバシ判定の結果とすることにより、本発明の目的を達成する。
［第９の実施の形態］
本発明の第９の実施の形態にかかる位置情報通知システムは、第８の実施の形態にかかる位置情報通知システムにおいて、第１の端末位置特定装置は、最初に端末のユーザによるプライバシ設定を確認し、プライバシ設定が端末からサーバへの位置情報の通知を許可していない場合に、端末のユーザに対してサーバに位置情報を通知するかどうかを問い合わせる。
第９の実施の形態にかかる位置情報通知システムにおいては、プライバシ判定の要求を受けた端末位置特定装置は、まず端末のユーザによるプライバシ設定からプライバシの判定を行ない、プライバシ設定により端末からサーバへの位置情報の通知が許可されない場合に、端末のユーザに位置情報の通知の可否を問い合わせ、ユーザによる判定をプライバシ判定の結果とすることにより、本発明の目的を達成する。
［第１０の実施の形態］
本発明の第１０の実施の形態にかかる位置情報通知システムにおいては、１つ以上の端末と、１つ以上の端末位置特定装置と、１つ以上のプライバシチェック装置と、その他必要な複数の通信装置を含む移動体ネットワークが２つ以上存在し、また端末と通信可能な１つ以上のサーバとから構成される。第１の移動体ネットワークに属する第１のプライバシチェック装置は、第１の移動体ネットワークに属する端末のプライバシ設定を保持する。第１の移動体ネットワークに属する端末が第２の移動体ネットワークに接続されている場合、サーバに通知するための位置情報を特定するために、第２の移動体ネットワークに属する第２の端末位置特定装置に位置要求メッセージを送信する。第２の端末位置特定装置は、端末からサーバへの位置情報の通知が許可されているかどうかを、第２の移動体ネットワークに属する第２のプライバシチェック装置に問い合わせ、第２のプライバシチェック装置は、さらに第１のプライバシチェック装置に、位置情報通知の許可を問い合わせる。第１のプライバシチェック装置は、端末を使用するユーザのプライバシ設定から、端末からサーバに位置情報の通知が許可されるかどうかを判定し、判定結果は第２のプライバシチェック装置を経由して第２の端末位置特定装置に通知される。第２の端末位置特定装置は、第２のプライバシチェック装置から通知された判定結果が、端末からサーバへの位置情報の通知を許可する場合にのみ、端末の位置に関する情報を端末に提供する。
第１０の実施の形態にかかる位置情報通知システムにおいては、移動体ネットワークが複数存在し、プライバシチェック装置は同じ移動体ネットワークに属する端末を使用するユーザのプライバシ設定を保持する。端末が、所属する移動体ネットワークとは異なる移動体ネットワークに接続した場合に、端末からの位置要求メッセージを受け付けた端末位置特定装置は同じ移動体ネットワークに所属する第２のプライバシチェック装置に対してプライバシ判定を要求し、第２のプライバシチェック装置は端末のプライバシ情報を保持する第１のプライバシチェック装置に対してプライバシ判定を要求し、プライバシ判定の要求を受けた第１のプライバシチェック装置が、端末を使用するユーザのプライバシ設定から端末からサーバへの位置情報の通知が許可されるかどうかを判定し、プライバシ判定の結果が第２のプライバシチェック装置を経由して端末位置特定装置に通知されることにより、本発明の目的を達成する。
［第１１の実施の形態］
本発明の第１１の実施の形態にかかる位置情報通知システムは、第１０の実施の形態にかかる位置情報通知システムにおいて、第１のプライバシチェック装置は、端末のユーザに対してサーバへの位置情報の通知を許可するかどうかを問い合わせ、ユーザの判定結果を第２のプライバシチェック装置に通知する。
第１１の実施の形態にかかる位置情報通知システムにおいては、プライバシ判定の要求を受けた第１のプライバシチェック装置は、端末のユーザに対してサーバへの位置情報通知を許可するかどうかを問い合わせ、ユーザによる判定結果をプライバシ判定の結果として第２のプライバシチェック装置に通知することにより、本発明の目的を達成する。
［第１２の実施の形態］
本発明の第１２の実施の形態にかかる位置情報通知システムにおいては、１つ以上の端末と、１つ以上の端末位置特定装置と、１つ以上のプライバシチェック装置と、その他必要な複数の通信装置を含む移動体ネットワークが２つ以上存在し、また端末と通信可能な１つ以上のサーバとから構成される。第１の移動体ネットワークに属する第１のプライバシチェック装置は、第１の移動体ネットワークに属する端末のプライバシ設定を保持する。第１の移動体ネットワークに属する端末が第２の移動体ネットワークに接続されている場合、サーバに通知するための位置情報を特定するために、第２の移動体ネットワークに属する第２の端末位置特定装置に位置要求メッセージを送信する。第２の端末位置特定装置は、端末からサーバへの位置情報の通知が許可されているかどうかを、第１の移動体ネットワークに属する第２のプライバシチェック装置に問い合わる。第１のプライバシチェック装置は、端末を使用するユーザのプライバシ設定から、端末からサーバに位置情報の通知が許可されるかどうかを判定し、判定結果を第２の端末位置特定装置に通知する。第２の端末位置特定装置は、第１のプライバシチェック装置から通知された判定結果が、端末からサーバへの位置情報の通知を許可する場合にのみ、端末の位置に関する情報を端末に提供する。
第１２の実施の形態にかかる位置情報通知システムにおいては、移動体ネットワークが複数存在し、プライバシチェック装置は同じ移動体ネットワークに属する端末を使用するユーザのプライバシ設定を保持する。端末が、所属する移動体ネットワークとは異なる移動体ネットワークに接続した場合に、端末からの位置要求メッセージを受け付けた端末位置特定装置は、端末のプライバシ情報を保持するプライバシチェック装置に対してプライバシ判定を要求し、プライバシ判定の要求を受けたプライバシチェック装置が、端末を使用するユーザのプライバシ設定から、端末からサーバへの位置情報の通知が許可されるかどうかを判定しプライバシ判定の結果を端末位置特定装置に通知することにより、本発明の目的を達成する。
［第１３の実施の形態］
本発明の第１３の実施の形態にかかる位置情報通知システムは、第１２の実施の形態にかかる位置情報通知システムにおいて、第１のプライバシチェック装置は、端末のユーザに対してサーバへの位置情報の通知を許可するかどうかを問い合わせ、ユーザの判定結果を第２の端末位置特定装置に通知する。
第１３の実施の形態にかかる位置情報通知システムにおいては、プライバシ判定の要求を受けたプライバシチェック装置は、端末のユーザに対してサーバへの位置情報通知を許可するかどうかを問い合わせ、ユーザによる判定結果をプライバシ判定の結果として端末位置特定装置に通知することにより、本発明の目的を達成する。
［第１４の実施の形態］
本発明の第１４の実施の形態にかかる位置情報通知システムは、第１１または１３いずれかの位置情報通知システムにおいて、第１のプライバシチェック装置は、最初に端末のユーザによるプライバシ設定を確認し、プライバシ設定が端末からサーバへの位置情報の通知を許可していない場合に、端末のユーザに対してサーバに位置情報を通知するかどうかを問い合わせる。
第１４の実施の形態にかかる位置情報通知システムにおいては、プライバシ判定を行なうプライバシチェック装置は、まず端末のユーザによるプライバシ設定からプライバシの判定を行ない、プライバシ設定により端末からサーバへの位置情報の通知が許可されない場合に、端末のユーザに位置情報の通知の可否を問い合わせ、ユーザによる判定をプライバシ判定の結果とすることにより、本発明の目的を達成する。
次に、本発明の実施の形態の実施例について図面を参照して詳細に説明する。
【実施例１】  本発明の第１の実施例による位置情報通知システムについて図面を参照して説明する。
［構成の説明］
図１は、本発明の第１の実施例による位置情報通知システムのシステム構成を示したものである。図１において、本発明の第１の実施例による位置情報通知システムは、移動体ネットワーク１００に接続される端末１０１と端末位置特定装置１０３と、端末１０１と通信可能なサーバ１０２とから構成される。端末１０１とサーバ１０２との間の通信方法は本発明とは直接の関係を持たないため、ここでは省略する。なお、図１においては説明を簡単化するため、端末、端末位置特定装置およびサーバはそれぞれ１台ずつ含まれているが、いずれも１台以上であってもよい。
図２は、本発明の第１の実施例による位置情報通知システムの、端末位置特定装置１０３の構成を示したものである。端末位置特定装置１０３は、位置情報提供部２０１と、測位部２０２と、プライバシチェック部２０３と、プライバシ設定保持領域２０４とから構成される。プライバシ設定保持領域２０４には、位置情報通知システムに接続される端末のユーザによるプライバシ設定が保持される。例えば、ユーザのプライバシ設定として、位置情報の通知を許可するサーバのリストを設定することが考えられる。また、例えばユーザのプライバシ設定として、サーバに通知可能な位置情報の精度を設定することが考えられる。また、サービスの種別ごとに通知可能な位置情報の精度を設定するといったユーザのプライバシ設定も考えられる。なお、ユーザによる上記のプライバシ設定の例は説明のためのものであり、プライバシ設定の方法を制限するものではない。
［動作の説明］
図１、図２、図３および図４を併せ参照して、本発明の第１の実施例による位置情報通知システムにおいて、端末１０１が端末位置特定装置１０３から位置情報を取得してサーバ１０２へ通知する動作について説明する。
図２において、本発明の第１の実施例による位置情報通知システムの端末位置特定装置１０３は、位置情報提供部２０１が端末１０１から位置要求２１１を受け付けると、端末１０１からサーバ１０２への位置情報の通知が許可されているかどうかを、プライバシチェック部２０３に問い合わせる。このとき、位置要求２１１には、端末１０１を特定するための端末識別子と、端末１０１が位置情報を通知しようとする相手サーバ１０２を特定するためのサーバ識別子が含まれ、プライバシチェック要求２１４にはこれら端末識別子とサーバ識別子を含めるものとする。
図３は、本発明の第１の実施例による位置情報通知システムにおける、端末位置特定装置１０３のプライバシチェック部２０３の動作フローを示したものである。プライバシチェック部２０３は、位置情報提供部２０１からのプライバシチェック要求２１４によって動作を開始し（ステップ３０１）、ステップ３０２においてプライバシチェック要求２１４に含まれる端末識別子とサーバ識別子を取得する。ステップ３０３において、プライバシチェック部２０３はプライバシ設定保持領域２０４から端末識別子で特定される端末ユーザのプライバシ設定２１５を読み出し、サーバ識別子で特定されるサーバに対して位置情報の通知が許可されるかどうかを判定する（ステップ３０４）。例えば、ユーザのプライバシ設定として、位置情報の通知を許可するサーバのリストが設定されている場合、ステップ３０２で取得したサーバ識別子により特定されるサーバが、位置情報の通知を許可するサーバのリストに含まれていれば、位置情報の通知が許可されると判定される。また、例えばユーザのプライバシ設定として、サーバに通知可能な位置情報の精度が設定されていた場合、ステップ３０２で取得したサーバ識別子により特定されるサーバの要求する位置情報の精度が、ユーザの許可する精度と等しいかそれより粗い場合にのみ、位置情報の通知が許可されると判定される。なお、ステップ３０４における上記の判定の例は説明のためのものであり判定の方法を制限しない。ステップ３０４において端末からサーバへの位置情報の通知が許可されると判定した場合には、プライバシチェック結果として位置情報通知許可を設定する（ステップ３０５）。ステップ３０４において端末からサーバへの位置情報の通知が許可されないと判定した場合には、プライバシチェック結果として位置情報通知不許可を設定する（ステップ３０６）。ステップ３０７でプライバシチェック結果２１６を位置情報提供部２０１に通知し、動作を終了する（ステップ３０８）。
図２において、位置情報提供部２０１は、プライバシチェック部２０３からプライバシチェック結果２１６を通知されると、そのプライバシチェック結果２１６が位置情報通知許可であれば、測位部２０２によって端末１０１の測位を行ない、測位結果２１２を測位部２０２から取得し、端末１０１に位置情報２１３を提供する。プライバシチェック結果２１６が位置情報通知不許可であった場合は測位処理は行なわず、位置情報２１３としてエラーを端末１０１に通知する。ここで、測位部２０２による端末１０１の測位の方法として、例えばセルＩＤ方式を用いる方法があるが、ここではその方法については制限しない。
図４は、本発明の第１の実施例による位置情報通知システムにおける、端末１０１が端末位置特定装置１０３から位置情報を取得してサーバ１０２へ通知する手順を示したシーケンス図である。端末１０１は、手順４０１において端末位置特定装置１０３に対して位置要求メッセージを送信し、端末位置特定装置１０３は位置要求メッセージを受け付けると、プライバシチェック手順４０２において端末１０１からサーバ１０２に対して位置情報を通知できるかどうかを、図３で説明した動作フローによって行なう。プライバシチェック手順４０２において端末１０１からサーバ１０２への位置情報の通知が許可される場合、端末１０１と端末位置特定装置１０３との間で測位処理４０３が行なわれ、端末位置特定装置１０３が端末１０１の位置情報を取得し、手順４０４にて端末１０１に対して位置情報が提供される。プライバシチェック手順４０２において、端末１０１からサーバ１０２への位置情報の通知が許可されない場合には、端末位置特定装置１０３は測位処理４０３を行なわず、手順４０４で端末１０１にエラーを通知する。端末１０１は、手順４０４で位置情報を提供された場合に、手順４０５においてサーバ１０２に位置情報を通知する。
ここで、図４の手順４０３に示す測位処理を、図４の手順４０２のプライバシチェックの前に実行する実施例も考えられる。また、図４の手順４０３に示す測位処理を、図４の手順４０２のプライバシチェックと同時に実行する実施例も考えられる。これにより、端末１０１からサーバ１０２への位置情報の通知手順の全体に要する時間を短縮することができる。
【実施例２】［構成の説明］
本発明の第２の実施例による位置情報通知システムについて図面を参照して説明する。
本発明の第２の実施例による位置情報通知システムのシステム構成は、図１に示した本発明の第１の実施例における位置情報通知システムの構成と同じである。
図５は、本発明の第２の実施例による位置情報通知システムの、端末位置特定装置１０３の構成を示したものである。端末位置特定装置１０３は、補助情報提供部５０１と、補助情報特定部５０２と、プライバシチェック部５０３と、プライバシ設定保持領域５０４とから構成される。補助情報特定部５０２は、端末１０１が現在の位置情報を特定するために必要となる補助情報を特定する機能を有する。プライバシ設定保持領域５０４には、位置情報通知システムに接続される端末のユーザによるプライバシ設定が保持される。ユーザのプライバシ設定の例として、第１の実施例で説明したプライバシ設定の例と同様なものが考えられるが、その設定の方法を制限しない。
［動作の説明］
図１、図５および図６を併せ参照して、本発明の第２の実施例による位置情報通知システムにおいて、端末１０１が端末位置特定装置１０３から補助情報を取得して自らの位置情報を特定しサーバ１０２へ通知する動作について説明する。
図５において、本発明の第２の実施例による位置情報通知システムの端末位置特定装置１０３は、補助情報提供部５０１が端末１０１から位置要求メッセージ５１１を受け付けると、端末１０１からサーバ１０２への位置情報の通知が許可されているかどうかを、プライバシチェック部５０３に問い合わせる。このとき位置要求メッセージ５１１には、端末１０１を特定するための端末識別子と、端末１０１が位置情報を通知しようとする相手サーバ１０２を特定するためのサーバ識別子が含まれ、プライバシチェック要求５１４にはこれら端末識別子とサーバ識別子を含めるものとする。
プライバシチェック部５０３の動作は、図３に示した第１の実施例による位置情報通知システムにおける端末位置特定装置のプライバシチェック部２０３の動作において、ステップ３０７のプライバシチェック結果の通知先が補助情報提供部になる以外は同じであり、ここでは説明を省略する。
図５において、補助情報提供部５０１は、プライバシチェック部５０３からプライバシチェック結果５１６を通知されると、そのプライバシチェック結果５１６が位置情報通知許可であれば、補助情報特定部５０２から、端末１０１が現在位置を特定するために必要な補助情報５１２を取得し、その補助情報５１３を端末１０１に提供する。プライバシチェック結果５１６が位置情報通知不許可であった場合は、端末１０１にエラー５１３を通知する。ここで、補助情報特定部５０２から取得される、端末１０１が現在位置を特定するために必要な補助情報として、例えばネットワーク補助型ＧＰＳ方式において端末１０１のＧＰＳ機能が位置情報を計算するために必要となる補助情報が考えられるが、ここでは補助情報の内容を制限しない。
図６は、本発明の第２の実施例による位置情報通知システムにおいて、端末１０１が端末位置特定装置１０３から補助情報を取得して位置情報を特定し、サーバ１０２へ位置情報を通知する手順を示したシーケンス図である。端末１０１は手順６０１において端末位置特定装置１０３に対して位置要求メッセージを送信し、端末位置特定装置１０３は位置要求メッセージを受け付けると、プライバシチェック手順６０２において端末１０１からサーバ１０２に対して位置情報を通知できるかどうかを判断する。プライバシチェック手順６０２において、端末１０１からサーバ１０２への位置情報の通知が許可される場合、端末位置特定装置１０３は手順６０３により端末１０１に補助情報を提供し、端末１０１は手順６０４で現在の位置情報を特定し、手順６０５においてサーバ１０２へ位置情報を通知する。プライバシチェック手順６０２において、端末１０１からサーバ１０２への位置情報の通知が許可されない場合には、端末位置特定装置１０３は手順６０３で端末１０１にエラーを通知してシーケンスを終了する。
【実施例３】［構成の説明］
本発明の第３の実施例による位置情報通知システムについて図面を参照して説明する。
本発明の第３の実施例による位置情報通知システムは、第１の実施例と同じシステム構成を有する。
図７は、本発明の第３の実施例による位置情報通知システムにおける、端末位置特定装置１０３の構成を示したものであり、図２に示す第１の実施例による位置情報通知システムの位置情報特定装置の構成と比較して、プライバシ設定保持領域を持たず、またプライバシチェック部７０３が端末１０１とのインターフェイスを持つ点において異なる。また、本発明の第３の実施例による位置情報通知システムの端末位置特定装置の動作は、本発明の第１の実施例による位置情報通知システムの端末位置特定装置の動作と比較して、プライバシチェック部の動作フローのみが異なるため、プライバシチェック部の動作以外についてはここでは説明を省略する。
［動作の説明］
図１、図７、図８および図９併せ参照して、本発明の第３の実施例による位置情報通知システムにおいて、端末１０１が端末位置特定装置１０３から位置情報を取得してサーバ１０２へ通知する動作を説明する。
図８は、本発明の第３の実施例による位置情報通知システムにおける、端末位置特定装置１０３のプライバシチェック部７０３の動作フローである。図８におけるステップ８０１、８０２、８０８、８０９の処理は、図３において説明した第１の実施例による位置情報通知システムにおける端末位置特定装置１０３のプライバシチェック部２０３の動作フローのステップ３０１、３０２、３０７、３０８と同じであるため、ここでは説明を省略する。本発明の第３の実施例による位置情報通知システムにおけるプライバシチェック部７０３は、ステップ８０３において、端末からサーバへの位置通知を行なうかどうかの判断を端末のユーザに要求するために、ユーザ判断要求メッセージを端末に送信する（図７の７１７）。ステップ８０４において端末のユーザからのユーザ判断結果メッセージ（図７の７１８）を受信すると、その判断結果を確認し（ステップ８０５）、ユーザの判断によりサーバへの位置情報の通知を行なえると判断した場合には、ステップ８０６においてプライバシチェック結果を位置情報通知許可に設定する。ステップ８０５でユーザの判断によってサーバへの位置情報通知が許可されないと判断された場合には、ステップ８０６においてプライバシチェック結果を位置情報通知不許可に設定する。
図９は、本発明の第３の実施例による位置情報通知システムにおいて、端末１０１が端末位置特定装置１０３から位置情報を取得してサーバ１０２へ通知する手順を示したシーケンス図である。
端末１０１は、手順９０１において端末位置特定装置１０３に対して位置要求メッセージを送信し、端末位置特定装置１０３は位置要求メッセージを受け付けると、端末１０１のユーザに対して、サーバ１０２へ位置情報を通知するかどうかを問い合わせるユーザ判断要求メッセージを送信し（手順９０２）、端末１０１から端末位置特定装置１０３に対してユーザ判断結果が通知される（手順９０３）。ユーザ判断結果確認手順９０４では、図８で示したプライバシチェック部の動作フローのうち、ステップ８０５からステップ８０８が含まれる。プライバシチェック部からのプライバシチェック結果が位置情報通知許可であれば、端末１０１と端末位置特定装置１０３との間で測位処理９０５が行なわれ、端末位置特定装置１０３が端末１０１の位置情報を取得し、手順９０６にて端末１０１に対して位置情報が提供される。プライバシチェック部からのプライバシチェック結果が位置情報通知不許可であれば、測位処理９０５は行なわれず、手順９０６で端末１０１は端末位置特定装置１０３からエラーを通知される。端末１０１は位置情報として測位結果を提供された場合に、手順９０７によりサーバ１０２に位置情報を通知する。
ここで、図９の手順９０５に示す測位処理を、図９の手順９０２から９０４までのユーザ判断要求の前に実行する実施例も考えられる。また、図９の手順９０５に示す測位処理を、図９の手順９０２から９０４のプライバシチェックと同時に実行する実施例も考えられる。これにより、端末１０１からサーバ１０２への位置情報の通知手順の全体に要する時間を短縮することができる。
さらに、第１の実施例による位置情報通知システムの位置情報特定装置のプライバシチェック部から第３の実施例による位置情報通知システムの位置情報特定装置のプライバシチェック部への変更を、第２の実施例による位置情報通知システムの端末位置特定装置のプライバシチェック部へ適用した実施例も考えられる。
【実施例４】［構成の説明］
本発明の第４の実施例による位置情報通知システムについて図面を参照して説明する。
本発明の第４の実施例による位置情報通知システムは、第１の実施例と同じシステム構成を有する。
図１０は、本発明の第４の実施例による位置情報通知システムにおける、端末位置特定装置１０３の構成を示したものであり、図２に示す第１の実施例による位置情報通知システムの位置情報特定装置の構成と比較して、プライバシチェック部１００３が端末１０１とのインターフェイスを持つ点においてのみ異なる。また、本発明の第４の実施例による位置情報通知システムの端末位置特定装置の動作は、本発明の第１の実施例による位置情報通知システムの端末位置特定装置の動作と比較して、プライバシチェック部の動作フローのみが異なるため、プライバシチェック部の動作以外についてはここでは説明を省略する。
［動作の説明］
図１、図１０、図１１および図１２併せ参照して、本発明の第４の実施例による位置情報通知システムにおいて、端末１０１が端末位置特定装置から位置情報を取得してサーバ１０２へ通知する動作を説明する。
図１１は、本発明の第４の実施例による位置情報通知システムにおける、端末位置特定装置１０３のプライバシチェック部１００３の動作フローである。図１１におけるステップ１１０１、１１０２、１１０３、１１０４、１１１０および１１１１の処理は、図３において説明した第１の実施例による位置情報通知システムにおける端末位置特定装置１０３のプライバシチェック部２０３の動作フローのステップ３０１、３０２、３０３、３０４、３０７および３０８とそれぞれ同じであるため、ここでは説明を省略する。本発明の第４の実施例による位置情報通知システムにおけるプライバシチェック部１００３は、ステップ１１０４において端末からサーバへの位置情報の通知が許可されていないと判断された場合、ステップ１１０６において、位置通知を行なうかどうかの判断を要求するユーザ判断要求メッセージを端末に送信する（図１０の１０１７）。ステップ１１０７において端末のユーザからのユーザ判断結果メッセージ（図１０の１０１８）を受信すると、その判断結果を確認し（ステップ１１０８）、ユーザの判断によりサーバへの位置情報の通知を行なえると判断した場合には、ステップ１１０５においてプライバシチェック結果を位置情報通知許可に設定する。ステップ１１０８でユーザの判断によってサーバへの位置情報通知が許可されないと判断された場合には、ステップ１１０９においてプライバシチェック結果を位置情報通知不許可に設定する。
図１２は、本発明の第４の実施例による位置情報通知システムにおいて、端末１０１が端末位置特定装置１０３から位置情報を取得してサーバ１０２へ通知する手順を示したシーケンス図である。なお、図１１でのプライバシチェック部１００３の動作ステップ１１０４において、ユーザのプライバシ設定により端末１０１からサーバ１０２への位置情報通知が許可されると判断された場合の動作は、図４に示した本発明の第１の実施例による位置情報通知システムにおける端末１０１からサーバ１０２への位置情報の通知手順を示したシーケンス図と同じである。よって、ここでは、プライバシチェック部の動作ステップ１１０４において、ユーザのプライバシ設定により端末１０１からサーバ１０２への位置情報通知が許可されないと判断される場合の動作について説明する。
端末１０１は、手順１２０１において端末位置特定装置１０３に対して位置要求メッセージを送信し、端末位置特定装置１０３は位置要求メッセージを受け付けると、プライバシチェック部において端末１０１からサーバ１０２に対して位置情報を通知できるかどうかを判断する。プライバシチェック手順１２０２では端末位置特定装置１０３のプライバシチェック部１００３が図１１で示した動作フローのステップ１１０１から１１０４の処理によりユーザ設定による端末１０１からサーバ１０２への位置情報の通知が許可されているかどうかの判定を行ない、許可されないと判断される場合、端末位置特定装置１０３は、端末１０１のユーザに対して、サーバ１０２へ位置情報を通知するかどうかを問い合わせるユーザ判断要求メッセージを送信し（手順１２０３および図１１のステップ１１０６）、端末１０１から端末位置特定装置１０３に対してユーザ判断結果が通知される（手順１２０４）。ユーザ判断結果確認手順１２０５では、図１１で示したプライバシチェック部の動作フローのうち、ステップ１１０７からステップ１１１１が含まれる。ユーザによる判断結果が位置情報通知許可であれば、端末１０１と端末位置特定装置１０３との間で測位処理１２０６が行なわれ、端末位置特定装置１０３が端末１０１の位置情報を取得し、手順１２０７にて端末１０１に対して位置情報が提供される。ユーザによる判断結果が位置情報通知不許可であれば、測位処理１２０６は行なわれず、手順１２０７で端末１０１は端末位置特定装置１０３からエラーを通知される。端末１０１は、位置情報として測位結果を提供された場合に、手順１２０８によりサーバ１０２に位置情報を通知する。
ここで、図１２の手順１２０６に示す測位処理を、図１２の手順１２０２のプライバシチェックの前に実行する実施例も考えられる。
また、図１２の手順１２０６に示す測位処理を、図１２の１２０２から１２０５までの手順と同時に実行する実施例も考えられる。これにより、端末１０１からサーバ１０２への位置情報の通知手順の全体に要する時間を短縮することができる。
さらに、第１の実施例による位置情報通知システムの位置情報特定装置のプライバシチェック部から第４の実施例による位置情報通知システムの位置情報特定装置のプライバシチェック部への変更を、第２の実施例による位置情報通知システムの端末位置特定装置のプライバシチェック部へ適用した実施例も考えられる。
【実施例５】［構成の説明］
本発明の第５の実施例による位置情報通知システムについて図面を参照して説明する。
図１３は、本発明の第５の実施例による位置情報通知システムのシステム構成を示したものである。図１３において、本発明の第５の実施例による位置情報通知システムは、移動体ネットワーク１３００に接続される端末１３０１、端末位置特定装置１３０３およびプライバシチェック装置１３０４と、端末１３０１と通信可能なサーバ１３０２とから構成される。端末１３０１とサーバ１３０２との間の通信方法は本発明とは直接の関係を持たないため、ここでは省略する。なお、図１３においては説明を簡単化するため、端末、端末位置特定装置、プライバシチェック装置およびサーバはそれぞれ１台ずつ含まれているが、いずれも１台以上であってもよい。
図１４は、本発明の第５の実施例による位置情報通知システムの、端末位置特定装置１３０３の構成を示したものである。端末位置特定装置１３０３は、位置情報提供部１４０１と、測位部１４０２とによって構成される。
図１５は、本発明の第５の実施例による位置情報通知システムの、プライバシチェック装置１３０４の構成を示したものである。プライバシチェック装置１３０４は、プライバシチェック部１５０１と、プライバシ設定保持領域１５０２とから構成される。プライバシ設定保持領域１５０２には、端末１３０１のユーザによるプライバシ設定が保持される。ユーザのプライバシ設定としては、例えば第１の実施例による位置情報通知システムにおける端末位置特定装置のプライバシ設定保持領域に保持される設定等が考えられる。なお、上記は説明のための例であり、プライバシ設定の方法を制限するものではない。
［動作の説明］
図１３、図１４、図１５、図１６および図１７を併せ参照して、本発明の第５の実施例による位置情報通知システムにおいて、端末１３０１が端末位置特定装置１３０３から位置情報を取得してサーバ１３０２へ通知する動作を説明する。
図１４において、本発明の第５の実施例による位置情報通知システムの端末位置特定装置１３０３は、位置情報提供部１４０１が端末１３０１から位置要求メッセージ１４１１を受け付けると、端末１３０１からサーバ１３０２への位置情報の通知が許可されているかどうかを問い合わせるためのプライバシチェック要求メッセージ１４１４をプライバシチェック装置１３０４に送信する。このとき、位置要求メッセージ１４１１には、端末１３０１を特定するための端末識別子と、端末１３０１が位置情報を通知しようとする相手サーバ１３０２を特定するためのサーバ識別子が含まれ、プライバシチェック要求１４１４にはこれら端末識別子とサーバ識別子を含めるものとする。プライバシチェック装置１３０４からプライバシチェック結果１４１５を通知されると、端末位置特定装置１３０３の位置情報提供部１４０１は、プライバシチェック結果１４１５が位置情報通知許可であれば、測位部１４０２によって端末１３０１の測位を行ない、測位結果１４１２を測位部１４０２から取得し、端末１３０１に位置情報１４１３を提供する。プライバシチェック結果１４１５が位置情報通知不許可であった場合は測位処理は行なわず、位置情報１４１３としてエラーを端末１３０１に通知する
図１５において、プライバシチェック装置１３０４は、端末位置特定装置１３０３からプライバシチェック要求１５１１を受け付けると、プライバシチェック部１５０１がプライバシ設定保持領域１５０２からプライバシ設定を読み出し、端末１３０１からサーバ１３０２への位置情報の通知が許可されているかどうかを判断し、その判断結果をプライバシチェック結果メッセージ１５１３として端末位置特定装置１３０３に通知する。
図１６は、プライバシチェック装置１３０４のプライバシチェック部１５０１の動作フローを示したものである。プライバシチェック部１５０１は、端末位置特定装置１３０３からのプライバシチェック要求メッセージ１５１１によって動作を開始し（ステップ１６０１）、ステップ１６０２においてプライバシチェック要求メッセージｌ５１１に含まれる端末識別子とサーバ識別子を取得する。ステップ１６０３において、プライバシチェック部１５０１はプライバシ設定保持領域１５０２から端末識別子で特定される端末ユーザのプライバシ設定１５ｌ２を読み出し、サーバ識別子で特定されるサーバに対して位置情報の通知が許可されるかどうかを判定する（ステップ１６０４）。判定の方法としては、本発明の第１の実施例による位置情報通知システムの端末位置特定装置のプライバシチェック部による判定方法と同じものが例として考えられる。なお、上記の例は説明のためのものであり、判定の方法を制限しない。ステップ１６０４において端末からサーバへの位置情報の通知が許可されると判定した場合には、プライバシチェック結果として位置情報通知許可を設定する（ステップ１６０５）。ステップ１６０４において端末からサーバへの位置情報の通知が許可されないと判定した場合には、プライバシチェック結果として位置情報通知不許可を設定する（ステップ１６０６）。ステップ１６０７でプライバシチェック結果１５１３を端末位置特定装置１３０３に通知し、動作を終了する（ステップ１６０８）。
図１７は、本発明の第５の実施例による位置情報通知システムにおいて、端末１３０１が端末位置特定装置１３０３から位置情報を取得してサーバ１３０２へ通知する手順を示したシーケンス図である。端末１３０１は、手順１７０１において端末位置特定装置１３０３に対して位置要求メッセージを送信し、端末位置特定装置１３０３は位置要求メッセージを受け付けると、プライバシチェック装置１３０４に対してプライバシチェック要求メッセージを送信する（手順１７０２）。プライバシチェック装置１３０４では、図１６に示す動作フローにより、端末１３０１からサーバ１３０２に対して位置情報を通知できるかどうかを判断し（手順１７０３）、手順１７０４においてプライバシチェック結果メッセージを端末位置特定装置１３０３に送信する。プライバシチェック結果が位置情報通知許可の場合は、端末位置特定装置１３０３は端末１３０１との間で測位処理１７０５を行なって端末１３０１の位置情報を取得し、手順１７０６にて端末１３０１に対して位置情報を提供する。プライバシチェックの結果が位置情報通知不許可であった場合には、端末位置特定装置１３０３は測位処理１７０５を行なわず、手順１７０６で端末１３０１にエラーを通知する。端末１３０１は、手順１７０６で測位結果を提供された場合に、手順１７０８においてサーバ１３０２に位置情報を通知する。
ここで、図１７の手順１７０５に示す測位処理を、手順１７０２のプライバシチェック要求送信の前に実行する実施例も考えられる。
また、図１７の手順１７０５に示す測位処理を、１７０２から１７０４までの手順と同時に実行する実施例も考えられる。これにより、端末１３０１からサーバ１３０２への位置情報の通知手順の全体に要する時間を短縮することができる。
なお、本実施例においては、端末位置特定装置１３０３が位置情報提供部と測位部を有し、端末１３０１との間で測位を実行して端末に位置情報を提供する場合について説明したが、第２の実施例と同様、端末位置特定装置１３０３は補助情報提供部と補助情報特定部を有し、端末に対して位置情報を特定するための補助情報を提供する実施例も考えられる。この場合、図１７において、手順１７０５の測位処理は行なわず、手順１７０４でプライバシチェック結果が位置情報通知許可であれば、端末位置特定装置１３０３から端末１３０１に対して補助情報が提供され、端末１３０１は補助情報をもとに位置情報を特定し、サーバ１３０２にその位置情報を通知する。
【実施例６】［構成の説明］
本発明の第６の実施例による位置情報通知システムについて図面を参照して説明する。
本発明の第６の実施例による位置情報通知システムの構成は、図１３に示した本発明の第５の実施例による位置情報通知システムの構成と同じである。また、本発明の第６の実施例による位置情報通知システムの端末位置特定装置１３０３は、図１４に示した第５の実施例による位置情報通知システムの端末位置特定装置と同じ構成を有する。
図１８は、本発明の第６の実施例による位置情報通知システムにおける、プライバシチェック装置１３０４の構成を示したものであり、図１５に示す第５の実施例による位置情報通知システムのプライバシチェック装置の構成と比較して、プライバシチェック部１８０１が端末１３０１とのインターフェイスを持つ点においてのみ異なる。
［動作の説明］
図１３、図１８、図１９および図２０を併せ参照して、本発明の第６の実施例による位置情報通知システムにおいて、端末１３０１が端末位置特定装置１３０３から位置情報を取得してサーバ１３０２へ通知する動作を説明する。
本発明の第６の実施例による位置情報通知システムにおける端末位置特定装置１３０３動作は、先に説明した第５の実施例による位置情報通知システムにおける端末位置特定装置の動作と同じであるため、ここでは説明を省略する。
図１９は、本発明の第６の実施例による位置情報通知システムにおける、プライバシチェック装置１３０４のプライバシチェック部１８０１の動作フローである。図１９におけるステップ１９０１、１９０２、１９０３、１９０４、１９１０および１９１１の処理は、図１６において説明した第５の実施例による位置情報通知システムにおけるプライバシチェック装置１３０４のプライバシチェック部１５０１の動作フローのステップ１６０１、１６０２、１６０３、１６０４、１６０７および１６０８とそれぞれ同じであるため、ここでは説明を省略する。本発明の第６の実施例による位置情報通知システムにおけるプライバシチェック部１８０１は、ステップ１９０４において端末からサーバへの位置情報の通知が許可されていないと判断された場合、ステップ１９０６において、位置通知を行なうかどうかの判断を要求するユーザ判断要求メッセージを端末に送信する（図１８の１８１４）。ステップ１９０７において端末のユーザからのユーザ判断結果メッセージ（図１８の１８１５）を受信すると、その判断結果を確認し（ステップ１９０８）、ユーザの判断によりサーバへの位置情報の通知を行なえると判断した場合には、ステップ１９０５においてプライバシチェック結果を位置情報通知許可に設定する。ステップ１９０８でユーザの判断によってサーバへの位置情報通知が許可されないと判断された場合には、ステップ１９０９においてプライバシチェック結果を位置情報通知不許可に設定する。
図２０は、本発明の第６の実施例による位置情報通知システムにおいて、端末１３０１が端末位置特定装置１３０３から位置情報を取得してサーバ１３０２へ通知する手順を示したシーケンス図である。なお、プライバシチェック部の動作ステップ１９０４において、ユーザのプライバシ設定により端末１３０１からサーバ１３０２への位置情報通知が許可されると判断された場合の動作は、図１７に示した本発明の第５の実施例による位置情報通知システムにおける、端末１３０１からサーバ１３０２への位置情報の通知手順を示したシーケンス図と同じである。よって、ここでは、プライバシチェック部の動作ステップ１９０４において、ユーザのプライバシ設定により端末１３０１からサーバ１３０２への位置情報通知が許可されないと判断される場合の動作について説明する。
端末１３０１は、手順２００１において端末位置特定装置１３０３に対して位置要求メッセージを送信し、端末位置特定装置１３０３は位置要求メッセージを受け付けると、プライバシチェック装置１３０４に対してプライバシチェック要求メッセージを送信する（手順２００２）。プライバシチェック手順２００３においては、プライバシチェック装置１３０４のプライバシチェック部１８０１において、図１９に示す動作フローのステップ１９０１から１９０４の処理によりユーザ設定による端末１３０１からサーバ１３０２への位置情報の通知が許可されているかどうかの判定を行ない、許可されていないと判定された場合に、端末１３０１のユーザに対して、サーバ１３０２へ位置情報を通知するかどうかを問い合わせるユーザ判断要求メッセージを送信し（手順２００４および図１９のステップ１９０６）、端末１３０１からプライバシチェック装置１３０４に対してユーザ判断結果が通知される（手順２００５）。ユーザ判断結果確認手順２００６では、図１９で示したプライバシチェック部の動作フローのうち、ステップ１９０７からステップ１９１１が含まれる。手順２００７によりプライバシチェック装置１３０４からプライバシチェック結果を取得した端末位置特定装置１３０３は、プライバシチェック結果が位置情報通知許可であれば、端末１３０１との間で測位処理２００８を行なって端末１３０１の位置情報を取得し、手順２００９にて端末１３０１に対して位置情報を提供する。プライバシチェックの結果が位置情報通知不許可であった場合には、端末位置特定装置１３０３は測位処理２００８を行なわず、手順２００９で端末１３０１にエラーを通知する。端末１３０１は、手順２００９で位置情報を提供された場合に、手順２０１０においてサーバ１３０２に位置情報を通知する。
ここで、図２０の手順２００８に示す測位処理を、手順２００２のプライバシチェック要求メッセージ送信の前に実行する実施例も考えられる。
また、図２０の手順２００８に示す測位処理を、２００２から２００７までの手順と同時に実行する実施例も考えられる。これにより、端末１３０１からサーバ１３０２への位置情報の通知手順の全体に要する時間を短縮することができる。
なお、本実施例においては、端末位置特定装置１３０３が位置情報提供部と測位部を有し、端末１３０１との間で測位を実行して端末に位置情報を提供する場合について説明したが、第２の実施例と同様、端末位置特定装置１３０３は補助情報提供部と補助情報特定部を有し、端末に対して位置情報を特定するための補助情報を提供する実施例も考えられる。この場合、図２０において、手順２００８の測位処理は行なわず、手順２００７でプライバシチェック結果が位置情報通知許可であれば、端末位置特定装置１３０３から端末１３０１に対して補助情報が提供され、端末１３０１は補助情報をもとに位置情報を特定し、サーバ１３０２にその位置情報を通知する。
また、本実施例においては、プライバシチェック部１８０１がプライバシ設定保持領域１８０２のユーザ設定を確認し、端末１３０１からサーバ１３０２への位置通知が許可されなければプライバシチェック装置１３０４が端末１３０１にユーザ判断要求を送る場合について説明したが、第３の実施例と同様、プライバシチェック装置１３０４はプライバシ設定保持領域を持たず、プライバシチェック要求を受け付けると直ちにユーザ判断要求メッセージを送る実施例も考えられる。
【実施例７】［構成の説明］
本発明の第７の実施例による位置情報通知システムについて図面を参照して説明する。
図２１は、本発明の第７の実施例による位置情報通知システムのシステム構成を示したものである。図２１において、本発明の実施例による位置情報通知システムは、移動体ネットワーク２１１０、２１２０と、移動体ネットワーク２１１０に属する端末２１１１および端末位置特定装置２１１２と、移動体ネットワーク２１２０に属する端末２１２１および端末位置特定装置２１２２と、端末２１１１と通信可能なサーバ２１３０とから構成される。移動体ネットワーク２１１０に属する端末２１１１は、本実施例においては移動体ネットワーク２１２０に接続されている。端末２１１１とサーバ２１３０との間の通信方法は本発明とは直接の関係を持たないため、ここでは省略する。なお、図２１においては説明を簡単化するため、各移動体ネットワークに属する端末と端末位置特定装置、およびサーバはそれぞれ１台ずつ含まれているが、いずれも１台以上であってもよい
図２２は、本発明の第７の実施例による位置情報通知システムの、端末位置特定装置２１１２および２１２２の構成を示したものである。端末位置特定装置２１１２と２１２２は同じ構成を有するが、図２２は端末位置特定装置２１２２について示したものである。端末位置特定装置２１２２は、位置情報提供部２２０１と、測位部２２０２と、プライバシチェック部２２０３と、プライバシ設定保持領域２２０４とから構成される。プライバシ設定保持領域２２０４には、同じ移動体ネットワークに属する端末のユーザによるプライバシ設定が保持される。本実施例においては、端末位置特定装置２１１２のプライバシ設定保持領域には端末２１１１のユーザのプライバシ設定が、端末位置特定装置２１２２のプライバシ設定保持領域には端末２１２１のユーザのプライバシ設定が保持されるものとする。プライバシ設定としては、第１の実施例で説明したプライバシ設定の例と同様なものが考えられるが、その設定の方法を制限しない。
［動作の説明］
図２１、図２２、図２３および図２４を併せ参照して、本発明の第７の実施例による位置情報通知システムにおいて、端末２１１１が端末位置特定装置２１２２から位置情報を取得してサーバ２１３０へ通知する動作を説明する。なお、端末２１１１が移動体ネットワーク２１１０に接続され、端末位置特定装置２１１２から位置情報を取得してサーバ２１３０に通知する動作は、第１の実施例と同じとなる。
図２２において、本発明の第７の実施例による位置情報通知システムの端末位置特定装置２１２２は、位置情報提供部２２０１が端末２１１１から位置要求２２１１を受け付けると、端末２１１１からサーバ２１３０への位置情報の通知が許可されているかどうかを、プライバシチェック部２２０３に問い合わせる。このとき、位置要求２２１１には、端末２１１１を特定するための端末識別子と、端末２１１１が位置情報を通知しようとする相手サーバ２１３０を特定するためのサーバ識別子が含まれ、プライバシチェック要求２２１４にはこれら端末識別子とサーバ識別子を含めるものとする。端末位置提供部２２０１は、プライバシチェック部２２０３からプライバシチェック結果２２１６を受け取り、そのプライバシチェック結果２２１６が位置情報通知許可であれば、測位部２２０２によって端末２１１１の測位を行ない、測位結果２２１２を測位部２２０２から取得し、端末２１１１に位置情報２２１３を提供する。プライバシチェック結果２２１６が位置情報通知不許可であった場合は、測位処理は行なわず、位置情報２２１３としてエラーを端末２１１１に通知する。ここで、測位部２２０２による端末２１１１の測位の方法として、例えばセルＩＤ方式を用いる方法があるが、ここではその方法については制限しない。
図２３は、本発明の第７の実施例による位置情報通知システムにおける端末位置特定装置の、プライバシチェック部２２０３の動作を示すフローチャートである。プライバシチェック部は、同じ端末位置特定装置内の位置情報提供部２２０１からの、または他の端末位置特定装置からのプライバシチェック要求を受け付けることによって動作を開始する（ステップ２３０１）。プライバシチェック部２２０３は、ステップ２３０２においてプライバシチェック要求に含まれる端末識別子とサーバ識別子を取得し、取得した端末識別子で特定される端末が自端末位置特定装置と同じ移動体ネットワークに属するかどうかをステップ２３０３で判断する。ステップ２３０３において端末が同じ移動体ネットワークに属すると判断された場合、ステップ２３０４において、プライバシチェック部２２０３はプライバシ設定保持領域２２０４から端末識別子で特定される端末ユーザのプライバシ設定２２１５を読み出し、サーバ識別子で特定されるサーバに対して位置情報の通知が許可されるかどうかを判定する（ステップ２３０５）。ステップ２３０５における判定結果が、端末からサーバへの位置情報の通知を許可するものであれば、ステップ２３０５でプライバシチェック結果に位置情報通知許可を設定する。ステップ２３０５での判定結果が、端末からサーバへの位置情報の通知を許可しないものであれば、ステップ２３０７においてプライバシチェック結果に位置情報通知不許可を設定する。ステップ２３０３において、端末が自端末位置特定装置とは異なる移動体ネットワークに属すると判断された場合には、端末と同じ移動体ネットワークに属する端末位置特定装置に対して、ステップ２３０２で取得した端末識別子とサーバ識別子を含むプライバシチェック要求メッセージを送信する。ステップ２３０９で端末と同じ移動体ネットワークに属する端末位置特定装置からプライバシチェック結果を受信すると、その結果を最終的なプライバシチェック結果とする。ステップ２３１０において、プライバシチェック部２２０３は、プライバシチェックの結果を、プライバシチェックの要求元に通知して、動作を終了する（ステップ２３１１）。
図２４は、本発明の第７の実施例による位置情報通知システムにおいて、端末２１１１が端末位置特定装置２１２２に対して位置を要求し、取得した位置情報をサーバ２１３０に通知する際のシーケンスを示したものである。なお、端末２１１１が移動体ネットワーク２１１０に接続され、端末位置特定装置２１１２に位置要求する動作は、図４に示す第１の実施例と同じとなる。
図２４において、手順２４０１で端末位置特定装置２１２２が端末２１１１から位置要求メッセージを受け付けると、端末位置特定装置２１２２のプライバシチェック部において図２３で説明した動作が開始される。端末位置特定装置２１１２のプライバシチェック部は、図２３のステップ２３０３で端末が同じネットワークに属するかを調べ、本実施の例では端末は異なるネットワークに属するため、端末と同じネットワークに属する端末位置特定装置２１１２にプライバシチェック要求を転送する（手順２４０２、ステップ２３０８）。端末位置特定装置２１１２は、プライバシチェック要求を受信すると、プライバシチェック部において、図２３で説明したプライバシチェックを実行する。ステップ２３０３において、端末２１１１が自端末位置特定装置２１１２と同じ移動体ネットワークに属すると判定し、ステップ２３０４から２３０７のプライバシチェック動作を行ない（手順２４０３）、その結果をプライバシチェックの要求元である端末位置特定装置２１２２に返す（手順２４０４）。端末位置特定装置２１２２では、ステップ２４０４で端末位置特定装置２１１２からプライバシチェック結果を受け取ると、プライバシチェック部ではその結果を最終的なプライバシチェック結果とする。プライバシチェック結果により、端末２１１１からサーバ２１３０への位置情報の通知が許可される場合、端末２１１１と端末位置特定装置２１２２との間で測位処理２４０５が行なわれ、端末位置特定装置２１２２が端末２１１１の位置情報を取得し、手順２４０６にて端末２１１１に対して位置情報が提供される。プライバシチェック結果により、端末２１１１からサーバ２１３０への位置情報の通知が許可されない場合には、端末位置特定装置２１２２は測位処理２４０５を行なわず、手順２４０６で端末２１１１にエラーを通知する。端末２１１１は、手順２４０６で位置情報を提供された場合に、手順２４０７においてサーバ２１３０に位置情報を通知する。
ここで、図２４の手順２４０５に示す測位処理を、図２４の手順２４０２のプライバシチェック要求メッセージの送信前に実行する実施例も考えられる。
また、図２４の手順２４０５に示す測位処理を、図２４の２４０２から２４０４までの手順と同時に実行する実施例も考えられる。これにより、端末２１１１からサーバ２１３０への位置情報の通知手順の全体に要する時間を短縮することができる。
なお、第７の実施例では、端末位置特定装置が端末の測位を行ない、端末の位置情報を端末に対して提供する場合について説明したが、第２の実施例のように、端末位置特定装置は端末が現在位置を特定するために必要な補助情報を提供する実施例も考えられる。
また、第７の実施例では、端末位置特定装置２１１２のプライバシチェック部では端末ユーザのプライバシ設定によって端末からサーバへの位置情報の通知が許可されるかどうかを判定するが、第３の実施例のように、端末ユーザに位置情報通知の可否を問い合わせ、ユーザによる判断をプライバシチェックの結果とする実施例も考えられる。この場合、端末位置特定装置２１１２から端末２１１１のユーザへの位置情報通知の可否の問い合わせ及びユーザによる判断結果は、移動体ネットワーク２１１０、２１２０を介して授受される。
さらに、第７の実施例では、端末位置特定装置２１１２のプライバシチェック部では端末ユーザのプライバシ設定によって端末からサーバへの位置情報の通知が許可されるかどうかを判定するが、第４の実施例のように、ユーザのプライバシ設定から端末からサーバへの位置情報通知が許可されないと判定される場合に，端末ユーザに対して位置情報通知の可否を問い合わせ，ユーザによる判断結果を最終的なプライバシチェック結果とする実施例も考えられる。この場合、端末位置特定装置２１１２から端末２１１１のユーザへの位置情報通知の可否の問い合わせ及びユーザによる判断結果は、移動体ネットワーク２１１０、２１２０を介して授受される。
【実施例８】  本発明の第８の実施例による位置情報通知システムについて図面を参照して説明する。
図２５は、本発明の第８の実施例による位置情報通知システムのシステム構成を示したものである。図２５において、本発明の実施例による位置情報通知システムは、移動体ネットワーク２５１０、２５２０と、移動体ネットワーク２５１０に属する端末２５１１、端末位置特定装置２５１２およびプライバシチェック装置２５１３と、移動体ネットワーク２５２０に属する端末２５２１、端末位置特定装置２５２２およびプライバシチェック装置２５２３と、端末２５１１と通信可能なサーバ２５３０とから構成される。移動体ネットワーク２５１０に属する端末２５１１は、本実施例においては移動体ネットワーク２５２０に接続されている。端末２５１１とサーバ２５３０との間の通信方法は本発明とは直接の関係を持たないため、ここでは省略する。なお、図２５においては説明を簡単化するため、各移動体ネットワークに属する端末、端末位置特定装置、プライバシチェック装置およびサーバはそれぞれ１台ずつ含まれているが、いずれも１台以上であってもよい。
本発明の第８の実施例による位置情報通知システムの端末位置特定装置２５１２および２５２２の構成は、図１４に示した第５の実施例による位置情報通知システムの端末位置特定装置と同じであり、ここでは説明を省略する。
図２６は、本発明の第８の実施例による位置情報通知システムの、プライバシチェック装置２５１３および２５２３の構成を示したものである。プライバシチェック装置２５１３と２５２３は同じ構成を有するが、図２６はプライバシチェック装置２５２３について示したものである。プライバシチェック装置２５２３は、プライバシチェック部２６０１とプライバシ設定保持領域２６０２を有する。プライバシ設定保持領域は、同じ移動体ネットワークに属する端末のユーザによるプライバシ設定が保持される。本実施例においては、プライバシチェック装置２５１３のプライバシ設定保持領域には端末２５１１のユーザのプライバシ設定が、プライバシチェック装置２５２２のプライバシ設定保持領域には端末２５２１のユーザのプライバシ設定が保持されるものとする。プライバシ設定としては、第１の実施例で説明したプライバシ設定の例と同様なものが考えられるが、その設定の方法を制限しない。
［動作の説明］
図２５、図２６、図２７および図２８を併せ参照して、本発明の第８の実施例による位置情報通知システムにおいて、端末２５１１が端末位置特定装置２５２２から位置情報を取得してサーバ２５３０へ通知する動作を説明する。なお、端末２５１１が移動体ネットワーク２５１０に接続され、端末位置特定装置２５１２から位置情報を取得してサーバに通知する動作は、第５の実施例と同じとなる。
端末位置特定装置２５２２は、端末２５１１から位置要求メッセージを受け付けると、端末２５１１からサーバ２５３０への位置情報の通知が許可されているかどうかを問い合わせるために、同じ移動体ネットワークに属するプライバシチェック装置２５２３にプライバシチェック要求メッセージを送信する。このとき、位置要求メッセージには、端末２５１１を特定するための端末識別子と、端末２５１１が位置情報を通知しようとする相手サーバ２５３０を特定するためのサーバ識別子が含まれ、プライバシチェック要求にはこれら端末識別子とサーバ識別子を含めるものとする。端末位置特定装置２５２２は、プライバシチェック装置２５２３からプライバシチェック結果を受け取ると、そのプライバシチェック結果が位置情報通知許可であれば、端末２５１１の測位を行なって端末２５１１に位置情報を提供する。プライバシチェック結果が位置情報通知不許可であった場合は、測位処理は行なわず、位置情報としてはエラーを端末２５１１に通知する。
図２７は、本発明の第８の実施例による位置情報通知システムの、プライバシチェック装置の動作シーケンスを示したフローチャートである。プライバシチェック装置は、同じ移動体ネットワークに属する端末位置特定装置からの、または他の移動体ネットワークに属するプライバシチェック装置からのプライバシチェック要求を受け付けることによって動作を開始する（ステップ２７０１）。プライバシチェック装置は、ステップ２７０２においてプライバシチェック要求に含まれる端末識別子とサーバ識別子を取得し、取得した端末識別子で特定される端末が自プライバシチェック装置と同じ移動体ネットワークに属するかどうかをステップ２７０３で判断する。ステップ２７０３において端末が同じ移動体ネットワークに属すると判断された場合、ステップ２７０４において、プライバシチェック部２６０１はプライバシ設定保持領域２６０２から端末識別子で特定される端末ユーザのプライバシ設定２６１３を読み出し（ステップ２７０４）、サーバ識別子で特定されるサーバに対して位置情報の通知が許可されるかどうかを判定する（ステップ２７０５）。ステップ２７０５における判定結果が、端末からサーバへの位置情報の通知を許可するものであれば、ステップ２７０６でプライバシチェック結果に位置情報通知許可を設定する。ステップ２７０５での判定結果が、端末からサーバへの位置情報の通知を許可しないものであれば、ステップ２７０７においてプライバシチェック結果に位置情報通知不許可を設定する。ステップ２７０３において、端末が自プライバシチェック装置とは異なる移動体ネットワークに属すると判断された場合には、端末と同じ移動体ネットワークに属するプライバシチェック装置に対して、ステップ２７０２で取得した端末識別子とサーバ識別子を含むプライバシチェック要求メッセージを送信する。ステップ２７０９において端末と同じ移動体ネットワークに属するプライバシチェック装置からのプライバシチェック結果を受信すると、その結果を最終的なプライバシチェック結果とする。ステップ２７１０において、プライバシチェック装置は、プライバシチェック結果をプライバシチェックの要求元に通知し、動作を終了する（ステップ２６１１）。
図２８は、本発明の第８の実施例による位置情報通知システムにおいて、端末２５１１が端末位置特定装置２５２２に対して位置を要求し、取得した位置情報をサーバ２５３０に通知する際のシーケンスを示したものである。なお、端末２５１１が移動体ネットワーク２５１０に接続され、端末位置特定装置２５１２から位置情報を取得してサーバに通知する動作は、図１７で示した第５の実施例におけるシーケンスと同じとなる。
図２８において、手順２８０１で端末位置特定装置２５２２が端末２５１１から位置要求メッセージを受け付けると、端末位置特定装置２５２２は同じ移動体ネットワークに属するプライバシチェック装置２５２３に対して、プライバシチェックを要求する（手順２８０２）。プライバシチェック装置２５２３は、図２７のステップ２７０３で端末が同じ移動ネットワークに属するかを調べ、本実施の例では端末は異なるネットワークに属するため、端末と同じネットワークに属するプライバシチェック装置２５１３にプライバシチェック要求を転送する（手順２８０３、ステップ２７０８）。プライバシチェック装置２５１３は、プライバシチェック要求を受信すると、図２７で説明した動作でプライバシチェックを行なう。ステップ２７０３において、端末が同じ移動体ネットワーク２５１０に属すると判定し、ステップ２７０４以降のプライバシチェック動作を行ない（手順２８０４）、その結果を要求元であるプライバシチェック装置２５２３に返す（手順２８０５）。プライバシチェック装置２５２３は、プライバシチェック装置２５１３から通知されたプライバシチェック結果を最終的なプライバシチェック結果として、ステップ２８０６で端末位置特定装置２５２２に通知する。端末位置特定装置２５２２では、通知されたプライバシチェック結果により、端末２５１１からサーバ２５３０への位置情報の通知が許可される場合、端末２５１１との間で測位処理２８０７を行ない、端末２５１１の位置情報を取得して手順２８０８にて端末２５１１に対して位置情報を提供する。手順２８０６で通知されたプライバシチェック結果により、端末２５１１からサーバ２５３０への位置情報の通知が許可されない場合には、端末位置特定装置２５２２は測位処理２８０７を行なわず、手順２８０８で端末２５１１にエラーを通知する。端末２５１１は、手順２８０８で位置情報を提供された場合に、手順２８０９においてサーバ２５３０に位置情報を通知する。
ここで、図２８の手順２８０７に示す測位処理を、図２８の手順２８０２のプライバシチェック要求の前に行なう実施例も考えられる。
また、図２８の手順２８０７に示す測位処理を、２８０２から２８０６まで手順と同時に実行する実施例も考えられる。これにより、端末２５１１からサーバ２５３０への位置情報の通知手順の全体に要する時間を短縮することができる。
なお、第８の実施例では、端末位置特定装置が端末の測位を行ない、端末の位置情報を端末に対して提供する場合について説明したが、第２の実施例のように、端末位置特定装置は端末が現在位置を特定するために必要な補助情報を提供する実施例も考えられる。
また、第８の実施例では、プライバシチェック装置２５１３のプライバシチェック部では端末ユーザのプライバシ設定によって端末からサーバへの位置情報の通知が許可されるかどうかを判定するが、第３の実施例のように、端末ユーザに位置情報通知の可否を問い合わせ、ユーザによる判断をプライバシチェックの結果とする実施例も考えられる。この場合、プライバシチェック装置２５１３から端末２５１１のユーザへの位置情報通知の可否の問い合わせ及びユーザによる判断結果は、移動体ネットワーク２５１０、２５２０を介して授受される。
さらに、第８の実施例では、プライバシチェック装置２５１３のプライバシチェック部では端末ユーザのプライバシ設定によって端末からサーバへの位置情報の通知が許可されるかどうかを判定するが、第４の実施例のように、ユーザのプライバシ設定から端末からサーバへの位置情報通知が許可されないと判定される場合に，端末ユーザに対して位置情報通知の可否を問い合わせ，ユーザによる判断結果を最終的なプライバシチェック結果とする実施例も考えられる。
第８の実施例では、端末位置特定装置２５２２は、端末２５１１からの位置要求を受け付けた際に、プライバシチェックの要求を同じ移動体ネットワークに属するプライバシチェック装置２５２３に対して要求するが、位置要求に含まれる端末識別子によって端末が異なる移動体ネットワークに属すると判断できる場合には、その端末と同じ移動体ネットワークに属するプライバシチェック装置２５１３に対してプライバシチェックを要求し、そのプライバシチェック結果によって端末との間の測位処理を決定する実施例も考えられる。この場合、プライバシチェック装置２５１３から端末２５１１のユーザへの位置情報通知の可否の問い合わせ及びユーザによる判断結果は、移動体ネットワーク２５１０、２５２０を介して授受される。
【実施例９】［構成の説明］
本発明の第９の実施例による位置情報通知システムについて図面を参照して説明する。
図２９を参照すると、本発明の第９の実施例による位置情報通知システムは、基地局等から構成される地域無線網（ＲＡＮ）２９０４他複数の地域無線網（ＲＡＮ）と、移動機であるＵＥ装置２９０５他複数のＵＥ装置と、複数の地域無線網（ＲＡＮ）２９０４を管理するとともに端末の位置特定機能を有するＳＧＳＮ／ＭＳＣ２９０３他複数のＳＧＳＮ／ＭＳＣ装置と、移動体ネットワークにおいて各ＵＥ装置２９０５のプライバシ情報を保持するＧＭＬＣ装置２９０２と、ＵＥ装置２９０５に対して位置情報を利用したサービスを提供する外部装置２９０６他複数の外部装置などの複数のノードから構成される。ここで、ＵＥ装置２９０５と外部装置２９０６の間の通信はＲＡＮ２９０４などのネットワーク装置を介して行われるが、ＵＥ装置２９０５と外部装置２９０６の間の通信方法は本発明とは直接の関係を持たないため、ここでは省略する。なお、本実施例による位置情報通知システムの構成と図１３に示した実施例５による位置情報通知システムの構成とを比較すると、ＵＥ装置２９０５が端末１３０１に、外部装置２９０６がサーバ１３０２に、ＳＧＳＮ／ＭＳＣ装置２９０３が端末位置特定装置１３０３に、ＧＭＬＣ装置２９０２がプライバシチェック装置１３０４にそれぞれ対応する。
［動作の説明］
図２９および図３０を併せ参照して、本発明の第９の実施例による位置情報通知システムにおいて、ＵＥ装置２９０５が位置情報を外部装置２９０７に通知する動作を説明する。
図３０は本発明の第９の実施例による位置情報通知システムにおいて、ＵＥ装置２９０５が自装置の位置を取得し外部装置２９０６に通知する場合の、移動体ネットワーク内の各ノードにおける処理および各ノード間で送受されるメッセージフローを示している。端末起動測位（ＭＯ−ＬＲ）においては、ＵＥ装置２９０５はＳＧＳＮ／ＭＳＣ装置２９０３に対して位置要求メッセージを送信する（図３０のステップ１）。本発明においては、ＵＥ装置２９０５が送信する位置要求メッセージには、要求する位置情報に関連する情報および位置情報の利用用途情報、ＵＥ装置２９０５のプライバシ設定情報を保持しているＧＭＬＣ装置２９０２のアドレス情報、プライバシチェック要求の有無などの情報が含まれる場合がある。要求する位置情報に関連する情報としては、要求する位置情報の精度要求情報などが考えられる。また、位置情報の利用用途情報としては、ＵＥ装置内部での利用なのか外部装置２９０６へ位置情報を送信するのかといった情報が考えられる。外部装置２９０６に位置情報を送信する場合には、送信先の情報すなわち外部装置２９０６のＩＰアドレスや電話番号などの情報を位置要求メッセージに含めて送信することで、外部装置２９０６へ送信する事をＳＧＳＮ／ＭＳＣ装置２９０３に伝えることなどが考えられる。
ＵＥ装置２９０５からの位置要求を受信したＳＧＳＮ／ＭＳＣ装置２９０３は、位置要求メッセージに含まれるＵＥ装置２９０５の位置情報の用途情報をチェックし、位置要求メッセージにＵＥ装置２９０５が取得した位置情報を送信しようとしている外部装置２９０６のＩＰアドレスや電話番号などの情報が含まれているなどの理由によりＵＥ装置２９０５が外部に位置情報を送信しようとしていると判断した場合には、位置要求メッセージに含まれるプライバシチェック要求情報の有無を確認する。ここで、位置要求メッセージにプライバシチェック要求情報を含めずに、外部装置２９０６のＩＰアドレスや電話番号などの情報が含まれていた場合にはプライバシチェックが要求されていると判断することも考えられる。プライバシチェックが要求されていると判断された場合には、ＳＧＳＮ／ＭＳＣ装置２９０３は、ＵＥ装置２９０５からの位置要求メッセージに含まれているＧＭＬＣ装置２９０２のアドレス情報を元に、ＵＥ装置２９０５のプライバシ情報を保持しているＧＭＬＣ装置２９０２にプライバシチェック要求メッセージを送信する（図３０のステップ２）。このプライバシチェック要求メッセージには、ＵＥ装置２９０５の電話番号等の端末ＩＤとＵＥ装置２９０５が取得した位置情報を送信しようとしている外部装置２９０７のＩＰアドレスや電話番号などの情報を含めて送信する。ＵＥ装置２９０５からの位置要求メッセージにＧＭＬＣ装置２９０２のアドレス情報が含まれていなかった場合には、ＳＧＳＮ／ＭＳＣ装置２９０３は、内部に登録されているＧＭＬＣ装置にプライバシチェック要求メッセージを送信するか、エラーメッセージをＵＥ装置２９０５に応答する。
ＳＧＳＮ／ＭＳＣ装置２９０３からのプライバシチェック要求メッセージを受け取ったＧＭＬＣ装置２９０２は保持しているＵＥ装置２９０５のプライバシ設定情報およびその他の情報に基づいてＵＥ装置２９０５の位置情報を外部装置２９０６に送信しても問題ないかどうかを判断する（図３０のステップ３）。プライバシチェック応答メッセージをＳＧＳＮ／ＭＳＣ装置２９０３に応答する（図３０のステップ４）。ここで、プライバシ設定情報の例としては、本発明の実施例１の位置情報通知システムにおける端末位置特定装置のプライバシ設定保持領域に保持された設定などが考えられるが、その限りではない。また、ＵＥ装置２９０５の位置情報を外部装置２９０６に送信しても問題ないかどうかを判断する方法の例として、本発明の実施例１の位置情報通知システムにおける端末位置特定装置のプライバシチェック部による判断方法などが考えられるが、その限りではない。ＵＥ装置２９０５の位置情報を外部装置２９０６に送信することが問題であると判断した場合には、このプライバシチェック応答メッセージにはエラー情報が含まれ、ＳＧＳＮ／ＭＳＣ装置２９０３はＵＥ装置２９０５に位置情報を含まないエラーメッセージを送信し処理を終了する。
プライバシチェック応答メッセージによって、ＵＥ装置２９０５の位置情報を外部装置２９０６に送信しても問題ないというプライバシチェック結果を受け取ったＳＧＳＮ／ＭＳＣ装置２９０３は、ＵＥ装置２９０５、ＲＡＮ２９０４などと連携して測位処理を行ない、ＵＥ装置２９０５の位置情報を取得する（図３０のステップ５）。
端末の位置情報を取得したＳＧＳＮ／ＭＳＣ装置２９０３は、ＵＥ装置２９０５に位置情報を応答し（図３０のステップ６）、ＵＥ装置２９０５は外部装置２９０６に位置情報を送信する（図３０のステップ７）。
ここで、図３０のステップ５に示す測位処理は、図３０のステップ２からステップ４と平行して処理することも考えられる。これにより全体の処理時間を短縮することができる。
また、測位処理を図３０のステップ１と２の間に行ない、ＵＥ装置２９０５の位置情報をプライバシチェック要求メッセージに含めてＧＭＬＣ装置２９０２に送信することも考えられる。これにより端末の位置情報に基づいたプライバシチェックを行うことができる。
本実施例においては、ＵＥ装置２９０５が図３０のステップ１において自装置の位置をＳＧＳＮ／ＭＳＣ装置２９０３に要求し図３０のステップ６においてＵＥ装置２９０５の位置情報がＳＧＳＮ／ＭＳＣ装置２９０３からＵＥ装置２９０５に通知される場合を説明したが、実施例２と同様に、図３０のステップ６においてＳＧＳＮ／ＭＳＣ装置２９０３はＵＥ装置２９０５が自装置の位置情報を特定するための補助情報を、ＵＥ装置２９０５に通知するという実施例も考えることができる。
【実施例１０】［構成の説明］
本発明の第１０の実施例について図面を参照して詳細に説明する。
本実施例は、複数の移動体ネットワークオペレータが連携して位置情報サービスを提供する場合の実施例であり、特にＵＥ装置３１１５のプライバシ設定情報を保持しているＧＭＬＣ３１１２が属している移動体ネットワーク１と、ＵＥ装置３１１５が接続しているＲＡＮ３１０４が属している移動体ネットワーク２が異なる場合の動作を説明する実施例である。
図３１を参照すると、本発明の第１０の実施例による位置情報通知システムはそれぞれの移動体ネットワークに所属する各ＵＥ装置のプライバシ情報を保持するＧＭＬＣ装置３１０２および３１１２と、複数の地域無線網（ＲＡＮ）を管理するＳＧＳＮ／ＭＳＣ装置３１０３他複数のＳＧＳＮ／ＭＳＣ装置と、基地局等から構成される地域無線網（ＲＡＮ）３１０４他複数の地域無線網（ＲＡＮ）と、移動機であるＵＥ装置３１１５他複数のＵＥ装置と、ＵＥ装置３１１５のプライバシ設定情報を保持しているＧＭＬＣ装置３１１２のアドレス情報を保持しているＨＬＲ／ＨＳＳ装置３１１６と、ＵＥ装置に対して位置情報を利用したサービスを提供する外部装置３１０７他複数の外部装置などの複数のノードから構成される。ここで、ＵＥ装置３１１５と外部装置３１０７の間の通信はＲＡＮ３１０４などのネットワーク装置を介して行われるが、ＵＥ装置３１１５と外部装置３１０７の間の通信方法は本発明とは直接の関係を持たないため、ここでは省略する。また、本実施例において、ＵＥ装置３１１５は移動体ネットワーク１に所属する端末である場合を考えており、ＵＥ装置３１１５のプライバシ設定情報はＧＭＬＣ装置３１１２に保持されているものとする。ここで、プライバシ設定情報の例としては、本発明の実施例１の位置情報通知システムにおける端末位置特定装置のプライバシ設定保持領域に保持された設定などが考えられるが、その限りではない。
［動作の説明］
図３１および図３２を併せ参照して、本発明の第１０の実施例による位置情報通知システムにおいて、ＵＥ装置３１１５が位置情報を外部装置３１０７に通知する動作を説明する。
図３２はＵＥ装置３１１５がＳＧＳＮ／ＭＳＣ装置３１０３から位置情報を取得し、外部装置３１０７に通知する場合の、移動体ネットワーク内の各ノードにおける処理および各ノード間で送受されるメッセージフローを示している。端末起動測位（ＭＯ−ＬＲ）においては、ＵＥ装置３１１５はＳＧＳＮ／ＭＳＣ装置３１０３に対して位置要求メッセージを送信する（図３２のステップ１）。本発明においては、ＵＥ装置３１１５が送信する位置要求メッセージには、要求する位置情報に関連する情報および位置情報の利用用途情報、ＵＥ装置３１１５のプライバシ設定情報を保持しているＧＭＬＣ装置３１１２のアドレス情報、プライバシチェック要求の有無などの情報が含まれる場合がある。要求する位置情報に関連する情報としては、要求する位置情報の精度要求情報などが考えられる。また、位置情報の利用用途情報としては、ＵＥ装置内部での利用なのか外部装置３１０７へ位置情報を送信するのかといった情報が考えられる。外部装置３１０７に位置情報を送信する場合には、送信先の情報すなわち外部装置３１０７のＩＰアドレスや電話番号などの情報を位置要求メッセージに含めて送信することで、外部装置３１０７へ送信することをＳＧＳＮ／ＭＳＣ装置３１０３に伝えることなどが考えられる。
ＵＥ装置３１１５からの位置要求を受信したＳＧＳＮ／ＭＳＣ装置３１０３は、位置要求メッセージに含まれるＵＥ装置３１１５の位置情報の用途情報をチェックし、位置要求メッセージにＵＥ装置３１１５が取得した位置情報を送信しようとしている外部装置３１０７のＩＰアドレスや電話番号などの情報が含まれているなどの理由によりＵＥ装置３１１５が外部に位置情報を送信しようとしていると判断した場合には、位置要求メッセージに含まれるプライバシチェック要求情報の有無を確認する。ここで、位置要求メッセージにプライバシチェック要求情報を含めずに、外部装置３１０７のＩＰアドレスや電話番号などの情報が含まれていた場合にはプライバシチェックが要求されていると判断することも考えられる。プライバシチェックが要求されていると判断された場合には、ＳＧＳＮ／ＭＳＣ装置３１０３は、ＵＥ装置３１１５からの位置要求メッセージに含まれているＧＭＬＣ装置３１１２のアドレス情報を元に、ＵＥ装置３１１５のプライバシ情報を保持しているＧＭＬＣ装置３１１２へのプライバシチェック要求メッセージの送信が可能かどうかを判断する。ＳＧＳＮ／ＭＳＣ装置３１０３がＧＭＬＣ装置３１１２に直接プライバシチェック要求メッセージを送信することができないと判断した場合や、ＵＥ装置３１１５からの位置要求メッセージにＧＭＬＣ装置３１１２のアドレス情報が含まれていなかった場合には、ＳＧＳＮ／ＭＳＣ装置３１０３は、内部に登録されているＧＭＬＣ装置３１０２にプライバシチェック要求メッセージを送信する（図３２のステップ２）。このプライバシチェック要求メッセージには、ＵＥ装置３１１５の電話番号等の端末ＩＤ、ＵＥ装置３１１５のプライバシ設定情報を保持しているＧＭＬＣ装置３１１２のアドレス情報、ＵＥ装置３１１５が取得した位置情報を送信しようとしている外部装置３１０７のＩＰアドレスや電話番号などの情報を含めて送信する。ＳＧＳＮ／ＭＳＣ装置３１０３がＧＭＬＣ装置３１１２に直接プライバシチェック要求メッセージを送信することができる場合には、図３２のステップ２におけるプライバシチェック要求メッセージはＧＭＬＣ装置３１１２に送信され、図３２のステップ３からステップ５は省略される。
ＳＧＳＮ／ＭＳＣ装置３１０３からのプライバシチェック要求メッセージを受け取ったＧＭＬＣ装置３１０２は、プライバシチェック要求メッセージにＵＥ装置３１１５のプライバシ設定情報を保持しているＧＭＬＣ装置３１１２のアドレス情報が含まれているかどうかを判断する。ＵＥ装置３１１５のプライバシ設定情報を保持しているＧＭＬＣ装置３１１２のアドレス情報が含まれていなかった場合には、ＳＧＳＮ／ＭＳＣ装置３１０３は、ＨＬＲ／ＨＳＳ装置３１１６にＵＥ装置３１１５の電話番号等の端末ＩＤを含むＧＭＬＣ情報要求メッセージを送信し（図３２のステップ３）、ＨＬＲ／ＨＳＳ装置３１１６はＵＥ装置３１１５の電話番号等の端末ＩＤを元にＵＥ装置３１１５のプライバシ設定情報を保持しているＧＭＬＣ装置３１１２のアドレス情報を検索し、ＳＧＳＮ／ＭＳＣ装置３１０３に応答する（図３２のステップ４）。ここで、ＨＬＲ／ＨＳＳ装置３１１６のアドレスはＵＥ装置３１１５の電話番号等の端末ＩＤを元に一意に決めることができることを想定している。ＳＧＳＮ／ＭＳＣ装置３１０３からのプライバシチェック要求メッセージもしくはＨＬＲ／ＨＳＳ装置３１１６からの応答によりＵＥ装置３１１５のプライバシ設定情報を保持しているＧＭＬＣ装置３１１２のアドレス情報を取得したＧＭＬＣ装置３１０２は、プライバシチェック要求メッセージをＧＭＬＣ装置３１１２に送信する（図３２のステップ５）
ＳＧＳＮ／ＭＳＣ装置３１０３もしくはＧＭＬＣ装置３１０２からのプライバシチェック要求メッセージを受信したＧＭＬＣ装置３１１２は、保持しているＵＥ装置３１１５のプライバシ設定情報およびその他の情報に基づいてＵＥ装置３１１５の位置情報を外部装置３１０７に送信しても問題ないかどうかを判断する（図３２のステップ６）。プライバシチェック要求メッセージの送信元がＧＭＬＣ装置３１０２であった場合には、ＧＭＬＣ装置３１１２はプライバシチェック応答メッセージをＧＭＬＣ装置３１０２に送信し（図３２のステップ７）、ＧＭＬＣ装置３１０２はプライバシチェック応答メッセージをＳＧＳＮ／ＭＳＣ装置３１０３に送信する（図３２のステップ８）。プライバシチェック要求メッセージの送信元がＳＧＳＮ／ＭＳＣ装置３１０３であった場合には、図３２のステップ７で送られるプライバシチェック応答メッセージはＧＭＬＣ装置３１１２からＳＧＳＮ／ＭＳＣ装置３１０３に直接送られ、図３２のステップ８は省略される。ＵＥ装置３１１５の位置情報を外部装置３１０７に送信することが問題であると判断した場合には、図３２のステップ７およびステップ８のプライバシチェック応答メッセージにはエラー情報が含まれ、ＳＧＳＮ／ＭＳＣ装置３１０３はＵＥ装置３１１５に位置情報を含まないエラーメッセージを送信し処理を終了する。
プライバシチェック応答メッセージによって、ＵＥ装置３１１５の位置情報を外部装置３１０７に送信しても問題ないというプライバシチェック結果を受け取ったＳＧＳＮ／ＭＳＣ装置３１０３は、ＵＥ装置３１１５、ＲＡＮ３１０４などと連携して測位処理を行ない、ＵＥ装置３１１５の位置情報を取得する（図３２のステップ９）。
端末の位置情報を取得したＳＧＳＮ／ＭＳＣ装置３１０３は、ＵＥ装置３１１５に位置情報を応答し（図３２のステップ１０）、ＵＥ装置３１１５は外部装置３１０７に位置情報を送信する（図３２のステップ１１）。
ここで、図３２のステップ９に示す測位処理は、図３２のステップ２からステップ８と平行して処理することも考えられる。これにより全体の処理時間を短縮することができる。
また、測位処理を図３２のステップ１と２の間に行ない、ＵＥ装置３１１５の位置情報をプライバシチェック要求メッセージに含めてＧＭＬＣ装置３１１２に送信することも考えられる。これにより端末の位置情報に基づいたプライバシチェックを行うことができる。
本実施例においては、ＵＥ装置３１１５が図３２のステップ１において自装置の位置をＳＧＳＮ／ＭＳＣ装置３１０３に要求し図３２のステップ１０においてＵＥ装置３１１５の位置情報がＳＧＳＮ／ＭＳＣ装置３１０３からＵＥ装置３１１５に通知される場合を説明したが、実施例２と同様に、図３２のステップ１０においてＳＧＳＮ／ＭＳＣ装置３１０３がＵＥ装置３１１５が自装置の位置情報を特定するための補助情報を、ＵＥ装置３１１５に通知するという実施例も考えることができる。
以上本発明の実施例について説明したが、本発明は以上の実施例にのみ限定されず、その他各種の付加変更が可能である。また、本発明の端末位置特定装置、プライバシチェック装置、端末は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施例における端末位置特定装置、プライバシチェック装置、端末として機能させる。
本発明の効果は、移動体ネットワークにおいて端末が自らの位置を取得してサーバに通知する際のプライバシ保護を実現できることである。なぜならば、端末が移動体ネットワークに対して自らの位置に関する情報を要求した際に、移動体ネットワークにおいてプライバシの判定を行ない、端末からサーバへの位置情報の通知が許可される場合においてのみ、端末に対して位置に関する情報が提供されるからである。
【産業上の利用可能性】  本発明の活用例として、端末の位置を特定する機能を有する携帯電話ネットワークを用いて、携帯電話から携帯電話ネットワーク外のサーバに位置情報を通知するようなシステムが挙げられる。特に、携帯電話ネットワークから位置情報を取得し、その位置情報を他のネットワークを介して携帯電話ネットワーク外のサーバに通知するようなケースにおいて、携帯電話ネットワーク事業者が位置情報に対するプライバシ保護を実現することが可能である。
【図１】
2005039223.tif 000003
【図２】
2005039223.tif 000004
【図３】
2005039223.tif 000005
【図４】
2005039223.tif 000006
【図５】
2005039223.tif 000007
【図６】
2005039223.tif 000008
【図７】
2005039223.tif 000009
【図８】
2005039223.tif 000010
【図９】
2005039223.tif 000011
【図１０】
2005039223.tif 000012
【図１１】
2005039223.tif 000013
【図１２】
2005039223.tif 000014
【図１３】
2005039223.tif 000015
【図１４】
2005039223.tif 000016
【図１５】
2005039223.tif 000017
【図１６】
2005039223.tif 000018
【図１７】
2005039223.tif 000019
【図１８】
2005039223.tif 000020
【図１９】
2005039223.tif 000021
【図２０】
2005039223.tif 000022
【図２１】
2005039223.tif 000023
【図２２】
2005039223.tif 000024
【図２３】
2005039223.tif 000025
【図２４】
2005039223.tif 000026
【図２５】
2005039223.tif 000027
【図２６】
2005039223.tif 000028
【図２７】
2005039223.tif 000029
【図２８】
2005039223.tif 000030
【図２９】
2005039223.tif 000031
【図３０】
2005039223.tif 000032
【図３１】
2005039223.tif 000033
【図３２】
2005039223.tif 000034
【図３３】
2005039223.tif 000035
【図３４】
2005039223.tif 000036
【図３５】
2005039223.tif 000037
【図３６】
2005039223.tif 000038
【図３７】
2005039223.tif 000039
【国際調査報告】
2005039223.tif 000040
2005039223.tif 000041